(57)【要約】  【課題】  自分の好みに合った絵画や写真などの画像を容易に取得して投影させることが可能な投影表示システムを提供する。  【解決手段】  利用者４は、配線基板５に形成された配線パターン５ａの検査を行う場合、配線パターン５ａに対応したコンテンツデータ３ｂをサーバ３から投影表示装置１に取り込ませ、配線パターン５ａに対応したコンテンツデータ３ｂを投影部１ａに投影させることにより、配線パターン５ａに対応した投影画像６を配線基板５上に実寸で表示させ、配線基板５に形成された配線パターン５ａを投影画像６と照合することにより、配線基板５に形成された配線パターン５ａの検査を行う。  【選択図】      図１
2005327127.tif 000002
【特許請求の範囲】
【請求項１】
コンテンツデータを投影表示面上に実寸で投影する投影表示装置と、
前記投影表示装置に前記コンテンツデータを配信するコンテンツデータ配信装置と、
前記投影表示装置への前記コンテンツデータの配信に対する課金処理を行う課金処理装置とを備えることを特徴とする投影表示システム。
【請求項２】
通信ネットワークを介して接続された投影表示装置とコンテンツデータ配信装置とが設けられた投影表示システムにおいて、
前記投影表示装置は、
実物に対応したコンテンツデータを前記実物上に実寸で投影する投影表示手段と、
前記実物上に施された朱入れ状態を撮像する撮像手段と、
前記投影表示手段にて投影されるコンテンツデータを前記コンテンツデータ配信装置から受信するとともに、前記撮像手段にて撮像された朱入れに関するデータを前記コンテンツデータ配信装置に送信する通信インターフェースとを備え、
前記コンテンツデータ配信装置は、
前記実物に対応したコンテンツデータを格納するコンテンツデータ格納手段と、
前記コンテンツデータ格納手段に格納されているコンテンツデータを前記投影表示装置に送信するデータ送信手段と、
前記撮像手段にて撮像された朱入れに関するデータを受信するデータ受信手段と、
前記投影表示装置への前記コンテンツデータの配信に対する課金処理を行う課金処理手段とを備えることを特徴とする投影表示システム。
【請求項３】
コンテンツデータを投影表示面上に実寸で投影する投影表示装置と、
前記投影表示面上に設置され、前記コンテンツデータを特定する識別情報が記録された識別情報記録手段と、
前記識別情報に基づいて前記投影表示装置にコンテンツデータを配信するコンテンツデータ配信装置と、
前記投影表示装置への前記コンテンツデータの配信に対する課金処理を行う課金処理装置とを備えることを特徴とする投影表示システム。
【請求項４】
通信ネットワークを介して接続された投影表示装置とコンテンツデータ配信装置とが設けられた投影表示システムにおいて、
前記投影表示装置は、
実物に対応したコンテンツデータを前記実物上に実寸で投影する投影表示手段と、
前記実物上で行われた操作または作業の状態を撮像する撮像手段と、
前記投影表示手段にて投影されるコンテンツデータを前記コンテンツデータ配信装置から受信するとともに、前記撮像手段にて撮像された操作または作業に関するデータを前記コンテンツデータ配信装置に送信する通信インターフェースとを備え、
前記コンテンツデータ配信装置は、
前記実物に施される操作手順または作業手順に関する一連のコンテンツデータを格納するコンテンツデータ格納手段と、
前記コンテンツデータ格納手段に格納されているコンテンツデータを前記投影表示装置に送信するデータ送信手段と、
前記撮像手段にて撮像された操作または作業に関するデータを受信するデータ受信手段と、
前記データ受信手段にて受信された操作または作業と、前記コンテンツデータ格納手段に格納されている操作手順または作業手順とを比較する比較判定手段と、
前記比較判定手段による比較結果に基づいて前記操作または作業に関する警報を前記投影表示装置に通知する警報発生手段と、
前記投影表示装置への前記コンテンツデータの配信に対する課金処理を行う課金処理手段とを備えることを特徴とする投影表示システム。
【請求項５】
通信ネットワークを介して接続された投影表示装置とコンテンツデータ配信装置とが設けられ、前記コンテンツデータ配信装置にて配信されるコンテンツデータを特定する識別情報が実物に記録された投影表示システムにおいて、
前記投影表示装置は、
前記識別情報で特定されるコンテンツデータを前記実物上に実寸で投影する投影表示手段と、
前記実物上で行われた操作または作業の状態を撮像する撮像手段と、
前記実物に記録された識別情報を読み取る識別情報読み取り手段と、
前記識別情報読み取り手段にて読み取られた識別情報にて特定されるコンテンツデータを前記コンテンツデータ配信装置から受信するとともに、前記撮像手段にて撮像された操作または作業に関するデータを前記コンテンツデータ配信装置に送信する通信インターフェースとを備え、
前記コンテンツデータ配信装置は、
前記実物に施される操作手順または作業手順に関する一連のコンテンツデータを格納するコンテンツデータ格納手段と、
前記コンテンツデータ格納手段に格納されているコンテンツデータを前記識別情報と対応させて管理する識別情報管理手段と、
前記識別情報で特定されるコンテンツデータを前記投影表示装置に送信するデータ送信手段と、
前記撮像手段にて撮像された操作または作業に関するデータを受信するデータ受信手段と、
前記データ受信手段にて受信された操作または作業と、前記コンテンツデータ格納手段に格納されている操作手順または作業手順とを比較する比較判定手段と、
前記比較判定手段による比較結果に基づいて、前記操作または作業に関する警報を前記投影表示装置に通知する警報発生手段と、
前記投影表示装置への前記コンテンツデータの配信に対する課金処理を行う課金処理手段とを備えることを特徴とする投影表示システム。
【請求項６】
通信ネットワークを介して接続された投影表示装置とコンテンツデータ配信装置とが設けられた投影表示システムにおいて、
前記投影表示装置は、
実物に対応したコンテンツデータを前記実物上に実寸で投影する投影表示手段と、
前記実物上で行われた操作または作業の状態を撮像する撮像手段と、
前記投影表示手段にて投影されるコンテンツデータを前記コンテンツデータ配信装置から受信するとともに、前記撮像手段にて撮像された操作または作業に関するデータを前記コンテンツデータ配信装置に送信する通信インターフェースとを備え、
前記コンテンツデータ配信装置は、
前記実物に対応したコンテンツデータを格納するコンテンツデータ格納手段と、
前記コンテンツデータ格納手段に格納されているコンテンツデータを前記投影表示装置に送信するデータ送信手段と、
前記撮像手段にて撮像された操作または作業に関するデータを受信するデータ受信手段と、
前記データ受信手段にて受信された操作または作業に関するデータに基づいて、前記コンテンツデータ格納手段に格納されているコンテンツデータを更新するコンテンツデータ更新手段と、
前記データ受信手段にて受信された操作または作業と、前記コンテンツデータ格納手段に格納されている操作手順または作業手順とを比較する比較判定手段と、
前記比較判定手段による比較結果に基づいて前記操作または作業に関する警報を前記投影表示装置に通知する警報発生手段と、
前記投影表示装置への前記コンテンツデータの配信に対する課金処理を行う課金処理手段とを備えることを特徴とする投影表示システム。
【請求項７】
通信ネットワークを介して接続された投影表示装置とコンテンツデータ配信装置とが設けられ、利用者に配信されるコンテンツデータを特定する識別情報が実物に記録された投影表示システムにおいて、
前記投影表示装置は、
前記識別情報で特定されるコンテンツデータを前記実物上に実寸で投影する投影表示手段と、
前記実物上で行われた操作または作業の状態を撮像する撮像手段と、
前記実物に記録された識別情報を読み取る識別情報読み取り手段と、
前記識別情報読み取り手段にて読み取られた識別情報にて特定されるコンテンツデータを前記コンテンツデータ配信装置から受信するとともに、前記撮像手段にて撮像された操作または作業に関するデータを前記コンテンツデータ配信装置に送信する通信インターフェースとを備え、
前記コンテンツデータ配信装置は、
前記実物に対応したコンテンツデータを格納するコンテンツデータ格納手段と、
前記コンテンツデータ格納手段に格納されているコンテンツデータを前記識別情報と対応させて管理する識別情報管理手段と、
前記識別情報で特定されるコンテンツデータを前記投影表示装置に送信するデータ送信手段と、
前記撮像手段にて撮像された操作または作業に関するデータを受信するデータ受信手段と、
前記データ受信手段にて受信された操作または作業に関するデータに基づいて、前記コンテンツデータ格納手段に格納されているコンテンツデータを更新するコンテンツデータ更新手段と、
前記データ受信手段にて受信された操作または作業と、前記コンテンツデータ格納手段に格納されている操作手順または作業手順とを比較する比較判定手段と、
前記比較判定手段による比較結果に基づいて、前記操作または作業に関する警報を前記投影表示装置に通知する警報発生手段と、
前記投影表示装置への前記コンテンツデータの配信に対する課金処理を行う課金処理手段とを備えることを特徴とする投影表示システム。
【請求項８】
前記投影表示装置は、前記警報発生手段から通知された警報に対応する警報メッセージを前記投影表示手段に投影表示させることを特徴とする請求項４から７のいずれか１項記載の投影表示システム。
【請求項９】
通信ネットワークを介して接続された投影表示装置とコンテンツデータ配信装置とが設けられた投影表示システムにおいて、
前記投影表示装置は、
実物に対応したコンテンツデータを前記実物上に実寸で投影する投影表示手段と、
前記コンテンツデータが投影される実物の現在の状態を撮像する撮像手段と、
前記投影表示手段にて投影されるコンテンツデータを前記コンテンツデータ配信装置から受信するとともに、前記撮像手段にて撮像された実物の現在の状態に関するコンテンツデータを前記コンテンツデータ配信装置に送信する通信インターフェースとを備え、
前記コンテンツデータ配信装置は、
前記撮像手段にて撮像された実物の現在の状態に関するコンテンツデータを受信するデータ受信手段と、
前記データ受信手段にて受信された実物の現在の状態に関するコンテンツデータを格納するコンテンツデータ格納手段と、
前記コンテンツデータ格納手段に格納されるコンテンツデータの記録日時を管理する記録日時管理手段と、
前記コンテンツデータ格納手段に格納されているコンテンツデータを前記投影表示装置に送信するデータ送信手段と、
前記投影表示装置への前記コンテンツデータの配信に対する課金処理を行う課金処理手段とを備えることを特徴とする投影表示システム。
【請求項１０】
前記投影表示装置は、
前記通信インターフェースを介して受信された原図画像を記憶する原図記憶手段と、
投影表示面上に設定された参照基準点の位置を計測するマーク検出手段と、
前記マーク検出手段にて計測された参照基準点までの距離を計測する距離計測手段と、
前記参照基準点の位置および前記参照基準点までの距離に基づいて、前記原図画像に設けられた基準点が前記参照基準点の位置に一致するように原図画像を描画画像に変換する描画制御手段とを備え、
前記投影表示手段は、前記描画制御手段にて生成された描画画像を前記投影表示面上に投影することを特徴とする請求項１から９のいずれか１項記載の投影表示システム。
【請求項１１】
投影表示装置にコンテンツデータを配信するステップと、
前記投影表示装置に配信されたコンテンツデータを投影表示面上に実寸で投影させるステップと、
前記投影表示装置への前記コンテンツデータの配信に対する課金を行うステップとを備えることを特徴とする投影表示方法。
【請求項１２】
コンテンツデータが格納された記憶媒体を提供するステップと、
前記記憶媒体に格納されたコンテンツデータを投影表示装置に取り込ませるステップと、
前記投影表示装置に取り込まれたコンテンツデータを投影表示面上に実寸で投影させるステップと、
前記コンテンツデータの提供に対する対価を徴収するステップとを備えることを特徴とする投影表示方法。
【請求項１３】
実物に対応したコンテンツデータを投影表示装置に配信するステップと、
前記投影表示装置に配信されたコンテンツデータを前記実物上に実寸で投影させるステップと、
前記コンテンツデータが投影されている実物上で操作または作業を行うステップと、
前記操作または作業が行われた実物上に朱入れを施すステップと、
前記実物上に施された朱入れ状態を撮像するステップと、
前記撮像された朱入れに関するデータを送信するステップと、
前記投影表示装置への前記コンテンツデータの配信に対する課金を行うステップと、
前記送信された朱入れに関するデータを受信するステップと、
前記受信した朱入れに関するデータに基づいて、前記実物上で行われた操作または作業に対する検収を行うステップとを備えることを特徴とする投影表示方法。
【請求項１４】
実物に施される操作手順または作業手順に関する一連のコンテンツデータを投影表示装置に配信するステップと、
前記投影表示装置に配信されたコンテンツデータを前記実物上に実寸で順次投影させるステップと、
前記コンテンツデータが投影されている実物上で操作または作業を行うステップと、
前記操作または作業が行われた実物の撮像を行うステップと、
前記撮像された操作または作業に関するデータを送信するステップと、
前記送信された操作または作業に関するデータを受信するステップと、
前記受信された操作または作業に関するデータと、前記投影表示装置に配信された操作手順または作業手順に関するコンテンツデータとを比較するステップと、
前記比較結果に基づいて前記操作または作業に関する警報を前記投影表示装置に通知するステップと、
前記投影表示装置への前記コンテンツデータの配信に対する課金を行うステップとを備えることを特徴とする投影表示方法。
【請求項１５】
第１の実物に対応したコンテンツデータを第１の投影表示装置に配信するステップと、
前記第１の投影表示装置に配信されたコンテンツデータを前記第１の実物上に実寸で投影させるステップと、
前記コンテンツデータが投影されている第１の実物上で操作または作業を行うステップと、
前記操作または作業が行われた第１の実物の撮像を行うステップと、
前記第１の実物上で撮像された操作または作業に関するデータを送信するステップと、
前記送信された第１の実物上での操作または作業に関するデータを受信するステップと、
前記受信された第１の実物上での操作または作業に関するデータに基づいて、前記第１の投影表示装置に配信されたコンテンツデータを更新するステップと、
前記更新されたコンテンツデータを第２の投影表示装置に配信するステップと、
前記第２の投影表示装置に配信されたコンテンツデータを第２の実物上に実寸で投影させるステップと、
前記コンテンツデータが投影されている第２の実物上で操作または作業を行うステップと、
前記操作または作業が行われた第２の実物の撮像を行うステップと、
前記第２の実物上で撮像された操作または作業に関するデータを送信するステップと、
前記送信された第２の実物上での操作または作業に関するデータを受信するステップと、
前記受信された第２の実物上での操作または作業に関するデータと、前記第２の投影表示装置に配信されたコンテンツデータとを比較するステップと、
前記比較結果に基づいて前記第２の実物上での操作または作業に関する警報を前記第２の投影表示装置に通知するステップと、
前記第１または第２の投影表示装置への前記コンテンツデータの配信に対する課金を行うステップとを備えることを特徴とする投影表示方法。
【請求項１６】
コンテンツデータを特定する識別情報を投影表示面上に付与するステップと、
前記投影表示面上に付与された識別情報を投影表示装置にて読み取るステップと、
前記読み取られた識別情報で特定されるコンテンツデータを前記投影表示装置に配信するステップと、
前記投影表示装置に配信されたコンテンツデータを前記投影表示面上に実寸で投影させるステップと、
前記投影表示装置への前記コンテンツデータの配信に対する課金を行うステップとを備えることを特徴とする投影表示方法。
【請求項１７】
コンテンツデータを特定する識別情報を実物上に付与するステップと、
前記実物上に付与された識別情報を投影表示装置にて読み取るステップと、
前記読み取られた識別情報で特定される前記実物に施される操作手順または作業手順に関する一連のコンテンツデータを前記投影表示装置に配信するステップと、
前記投影表示装置に配信されたコンテンツデータを前記実物上に実寸で順次投影させるステップと、
前記コンテンツデータが投影されている実物上で操作または作業を行うステップと、
前記操作または作業が行われた実物の撮像を行うステップと、
前記撮像された操作または作業に関するデータを送信するステップと、
前記送信された操作または作業に関するデータを受信するステップと、
前記受信された操作または作業に関するデータと、前記投影表示装置に配信された操作手順または作業手順に関するコンテンツデータとを比較するステップと、
前記比較結果に基づいて前記操作または作業に関する警報を前記投影表示装置に通知するステップと、
前記投影表示装置への前記コンテンツデータの配信に対する課金を行うステップとを備えることを特徴とする投影表示方法。
【請求項１８】
第１の利用者に配信されるコンテンツデータを特定する第１の識別情報を第１の実物上に付与するステップと、
第２の利用者に配信されるコンテンツデータを特定する第２の識別情報を第２の実物上に付与するステップと、
前記第１の識別情報および前記第２の識別情報を共通のコンテンツデータと対応させて登録するステップと、
前記第１の実物上に付与された第１の識別情報を第１の投影表示装置にて読み取るステップと、
前記第１の識別情報で特定されるコンテンツデータを前記第１の投影表示装置に配信するステップと、
前記第１の投影表示装置に配信されたコンテンツデータを前記第１の実物上に実寸で投影させるステップと、
前記コンテンツデータが投影されている第１の実物上で操作または作業を行うステップと、
前記操作または作業が行われた第１の実物の撮像を行うステップと、
前記第１の実物上で撮像された操作または作業に関するデータを送信するステップと、
前記送信された第１の実物上での操作または作業に関するデータを受信するステップと、
前記受信された第１の実物上での操作または作業に関するデータに基づいて、前記第１の投影表示装置に配信されたコンテンツデータを更新するステップと、
前記第２の実物上に付与された第２の識別情報を第２の投影表示装置にて読み取るステップと、
前記第２の識別情報で特定される前記更新されたコンテンツデータを第２の投影表示装置に配信するステップと、
前記第２の投影表示装置に配信されたコンテンツデータを第２の実物上に実寸で投影させるステップと、
前記コンテンツデータが投影されている第２の実物上で操作または作業を行うステップと、
前記操作または作業が行われた第２の実物の撮像を行うステップと、
前記第２の実物上で撮像された操作または作業に関するデータを送信するステップと、
前記送信された第２の実物上での操作または作業に関するデータを受信するステップと、
前記受信された第２の実物上での操作または作業に関するデータと、前記第２の投影表示装置に配信されたコンテンツデータとを比較するステップと、
前記比較結果に基づいて前記第２の実物上での操作または作業に関する警報を前記第２の投影表示装置に通知するステップと、
前記第１または第２の投影表示装置への前記コンテンツデータの配信に対する課金を行うステップとを備えることを特徴とする投影表示方法。
【請求項１９】
実物の現在の状態を撮像するステップと、
前記撮像された実物の現在の状態に関するコンテンツデータを送信するステップと、
前記送信された実物の現在の状態に関するコンテンツデータを受信するステップと、
前記受信された実物の現在の状態に関するコンテンツデータを記録日時とともに保管するステップと、
前記保管されているコンテンツデータを投影表示装置に配信するステップと、
前記投影表示装置に配信されたコンテンツデータを前記実物上に実寸で投影させるステップと、
前記コンテンツデータが投影されている実物上で操作または作業を行うステップと、
前記操作または作業が行われた実物の撮像を行うステップと、
前記撮像された操作または作業後のコンテンツデータを送信するステップと、
前記送信された操作または作業後のコンテンツデータを受信するステップと、
今回受信されたコンテンツデータと前記保管されているコンテンツデータとを比較するステップと、
前記比較結果に基づいて前記操作または作業に関する警報を前記投影表示装置に通知するステップと、
前記投影表示装置への前記コンテンツデータの配信に対する課金を行うステップとを備えることを特徴とする投影表示方法。
【発明の詳細な説明】
【技術分野】
【０００１】
本発明は投影表示システムおよび投影表示方法に関し、特に、図面や画像を実物上に投影させることにより対価を得る方法に適用して好適なものである。
【背景技術】
【０００２】
従来の投影表示装置では、例えば、特許文献１に開示されているように、携帯しやすい、または身に付けやすい構造の小型投影装置によって映像を離れた面に投影できるようにするために、腕時計などの小型物品にプロジェクタ・モジュールを組み込む方法が開示されている。
【特許文献１】特開２００１−２２２０６７号公報
【発明の開示】
【発明が解決しようとする課題】
【０００３】
しかしながら、従来の投影表示装置では、自分の好みに合った絵画や写真などの画像を容易に取得して投影させることができないという問題があった。また、従来の投影表示装置では、投影像と照らし合わせながら、実物を使って操作を行ったり、実際の現場で作業を行ったりすることができないという問題があった。
そこで、本発明の第１の目的は、自分の好みに合った絵画や写真などの画像を容易に取得して投影させることが可能な投影表示システムおよび投影表示方法を提供することである。
また、本発明の第２の目的は、投影像と照らし合わせながら、実物を使って操作を行ったり、実際の現場で作業を行ったりすることが可能な投影表示システムおよび投影表示方法を提供することである。
【課題を解決するための手段】
【０００４】
上述した課題を解決するために、請求項１記載の投影表示システムによれば、コンテンツデータを投影表示面上に実寸で投影する投影表示装置と、前記投影表示装置に前記コンテンツデータを配信するコンテンツデータ配信装置と、前記投影表示装置への前記コンテンツデータの配信に対する課金処理を行う課金処理装置とを備えることを特徴とする。
これにより、投影表示装置は、コンテンツデータ配信装置からコンテンツデータの配信を受けることが可能となり、自分の好みに合った絵画や写真などの画像を容易に取得して投影させることができる。また、コンテンツデータの配信を受けるために、投影表示装置を持ち運ぶだけでよく、その場に合った書籍や商品カタログなどを任意の場所で閲覧することが可能となる。このため、分厚い書籍や商品カタログなどを持ち運ぶ必要がなくなり、書籍や商品カタログなどの持ち運びにかかる負担を軽減しつつ、セールスなどを効率よく行うことが可能となる。
【０００５】
一方、コンテンツデータ配信装置は、コンテンツデータを投影表示装置に配信することで、マルチユース率を向上させることが可能となるとともに、コンテンツデータの配信に対する対価を確実に請求することが可能となる。このため、絵画や書籍を店頭で販売したり、商品カタログなど郵送したりする必要がなくなり、経費の節減を図ることを可能としつつ、顧客の求めるコンテンツを効率よく提供することができる。
【０００６】
また、請求項２記載の投影表示システムによれば、通信ネットワークを介して接続された投影表示装置とコンテンツデータ配信装置とが設けられた投影表示システムにおいて、前記投影表示装置は、実物に対応したコンテンツデータを前記実物上に実寸で投影する投影表示手段と、前記実物上に施された朱入れ状態を撮像する撮像手段と、前記投影表示手段にて投影されるコンテンツデータを前記コンテンツデータ配信装置から受信するとともに、前記撮像手段にて撮像された朱入れに関するデータを前記コンテンツデータ配信装置に送信する通信インターフェースとを備え、前記コンテンツデータ配信装置は、前記実物に対応したコンテンツデータを格納するコンテンツデータ格納手段と、前記コンテンツデータ格納手段に格納されているコンテンツデータを前記投影表示装置に送信するデータ送信手段と、前記撮像手段にて撮像された朱入れに関するデータを受信するデータ受信手段と、前記投影表示装置への前記コンテンツデータの配信に対する課金処理を行う課金処理手段とを備えることを特徴とする。
【０００７】
これにより、投影表示装置を現場に設置することで、電気、水道、ガスまたは通信などの公共設備や建築物に関する図面や画像を現場で実寸で表示させながら、測量や工事を進めることが可能となるとともに、測量や工事の進捗状況を朱入れによって効率よく管理することが可能となる。このため、熟練工が立ち会うことなく、測量や工事を正確かつ迅速に行うことが可能となり、納期を短縮することが可能となるとともに、施工にかかるコストを削減することが可能となる。
【０００８】
また、請求項３記載の投影表示システムによれば、コンテンツデータを投影表示面上に実寸で投影する投影表示装置と、前記投影表示面上に設置され、前記コンテンツデータを特定する識別情報が記録された識別情報記録手段と、前記識別情報に基づいて前記投影表示装置にコンテンツデータを配信するコンテンツデータ配信装置と、前記投影表示装置への前記コンテンツデータの配信に対する課金処理を行う課金処理装置とを備えることを特徴とする。
【０００９】
これにより、コンテンツデータ配信装置は、投影表示装置が必要とするコンテンツデータを選択して投影表示装置に配信することが可能となる。このため、投影表示装置は、自分が必要とするコンテンツデータの配信をコンテンツデータ配信装置から受けることが可能となり、自分の好みに合った絵画や写真などの画像、設備の点検保守現場で必要となった図面などを容易に取得して投影させることができる。
また、コンテンツデータ配信装置は、識別情報に基づいてコンテンツデータの配信先の管理を行うことが可能となる。このため、コンテンツデータの配信に対する課金を正確に行うことが可能となり、コンテンツデータの配信に対する対価を確実に請求することが可能となる。
【００１０】
また、請求項４記載の投影表示システムによれば、通信ネットワークを介して接続された投影表示装置とコンテンツデータ配信装置とが設けられた投影表示システムにおいて、前記投影表示装置は、実物に対応したコンテンツデータを前記実物上に実寸で投影する投影表示手段と、前記実物上で行われた操作または作業の状態を撮像する撮像手段と、前記投影表示手段にて投影されるコンテンツデータを前記コンテンツデータ配信装置から受信するとともに、前記撮像手段にて撮像された操作または作業に関するデータを前記コンテンツデータ配信装置に送信する通信インターフェースとを備え、前記コンテンツデータ配信装置は、前記実物に施される操作手順または作業手順に関する一連のコンテンツデータを格納するコンテンツデータ格納手段と、前記コンテンツデータ格納手段に格納されているコンテンツデータを前記投影表示装置に送信するデータ送信手段と、前記撮像手段にて撮像された操作または作業に関するデータを受信するデータ受信手段と、前記データ受信手段にて受信された操作または作業と、前記コンテンツデータ格納手段に格納されている操作手順または作業手順とを比較する比較判定手段と、前記比較判定手段による比較結果に基づいて前記操作または作業に関する警報を前記投影表示装置に通知する警報発生手段と、前記投影表示装置への前記コンテンツデータの配信に対する課金処理を行う課金処理手段とを備えることを特徴とする。
【００１１】
これにより、投影表示装置を現場に設置することで、電気、水道、ガスまたは通信などの公共設備や建築物に関する図面を現場で実寸で表示させながら、測量や工事を進めたり、自分の製品を再現した画像を自分の製品に実寸で表示させながら、自分の製品についての操作や保守点検を行ったりすることが可能となる。このため、実際の現場での測量や工事を正確かつ迅速に行うことが可能となるとともに、自分の製品の操作や保守点検を正確かつ迅速に行うことができる。
【００１２】
また、自分で実物を扱いながら操作や作業を行うことが可能となるとともに、操作や作業に対する間違いの指摘をその場で受けることが可能となり、実践的な学習効果を向上させることが可能となる。
一方、コンテンツデータ配信装置は、コンテンツデータを投影表示装置に配信することで、マルチユース率を向上させることが可能となるとともに、コンテンツデータの配信に対する対価を確実に請求することが可能となる。また、操作や作業に対する間違いの指摘を行うことで、自社の製品についての操作や保守点検に関する問い合わせを減らしたり、自社の製品に関する取扱説明書を簡略化したりすることが可能となり、自社の製品についての操作説明や保守点検にかかるコストを削減することが可能となる。
【００１３】
また、請求項５記載の投影表示システムによれば、通信ネットワークを介して接続された投影表示装置とコンテンツデータ配信装置とが設けられ、前記コンテンツデータ配信装置にて配信されるコンテンツデータを特定する識別情報が実物に記録された投影表示システムにおいて、前記投影表示装置は、前記識別情報で特定されるコンテンツデータを前記実物上に実寸で投影する投影表示手段と、前記実物上で行われた操作または作業の状態を撮像する撮像手段と、前記実物に記録された識別情報を読み取る識別情報読み取り手段と、前記識別情報読み取り手段にて読み取られた識別情報にて特定されるコンテンツデータを前記コンテンツデータ配信装置から受信するとともに、前記撮像手段にて撮像された操作または作業に関するデータを前記コンテンツデータ配信装置に送信する通信インターフェースとを備え、前記コンテンツデータ配信装置は、前記実物に施される操作手順または作業手順に関する一連のコンテンツデータを格納するコンテンツデータ格納手段と、前記コンテンツデータ格納手段に格納されているコンテンツデータを前記識別情報と対応させて管理する識別情報管理手段と、前記識別情報で特定されるコンテンツデータを前記投影表示装置に送信するデータ送信手段と、前記撮像手段にて撮像された操作または作業に関するデータを受信するデータ受信手段と、前記データ受信手段にて受信された操作または作業と、前記コンテンツデータ格納手段に格納されている操作手順または作業手順とを比較する比較判定手段と、前記比較判定手段による比較結果に基づいて、前記操作または作業に関する警報を前記投影表示装置に通知する警報発生手段と、前記投影表示装置への前記コンテンツデータの配信に対する課金処理を行う課金処理手段とを備えることを特徴とする。
【００１４】
これにより、投影表示装置を実物に向けることで、その実物に対応したコンテンツデータを特定することが可能となり、コンテンツデータ配信装置は、投影表示装置が必要とするコンテンツデータを自動的に選択して投影表示装置に配信することが可能となる。このため、投影表示装置を現場に設置することで、電気、水道、ガスまたは通信などの公共設備や建築物に対応した図面を現場で実寸で表示させながら、測量や工事を進めたり、自分の製品を再現した画像を自分の製品に実寸で表示させながら、自分の製品についての操作や保守点検を行ったりすることが可能となる。また、実物についての操作や作業を自分で行いながら、その操作や作業に対する間違いの指摘をその場で受けることが可能となり、実際の現場での測量や工事を正確かつ迅速に行ったり、自分の製品の操作や保守点検を正確かつ迅速に行ったりすることができる。
【００１５】
一方、コンテンツデータ配信装置は、識別情報に基づいてコンテンツデータの配信先の管理を行うことが可能となり、コンテンツデータの配信に対する対価を確実に請求することが可能となるとともに、操作や作業に対する間違いの指摘を行うことで、自社の製品についての操作や保守点検に関する問い合わせを減らしたり、自社の製品に関する取扱説明書を簡略化したりすることが可能となり、自社の製品についての操作説明や保守点検にかかるコストを削減することが可能となる。
【００１６】
また、請求項６記載の投影表示システムによれば、通信ネットワークを介して接続された投影表示装置とコンテンツデータ配信装置とが設けられた投影表示システムにおいて、前記投影表示装置は、実物に対応したコンテンツデータを前記実物上に実寸で投影する投影表示手段と、前記実物上で行われた操作または作業の状態を撮像する撮像手段と、前記投影表示手段にて投影されるコンテンツデータを前記コンテンツデータ配信装置から受信するとともに、前記撮像手段にて撮像された操作または作業に関するデータを前記コンテンツデータ配信装置に送信する通信インターフェースとを備え、前記コンテンツデータ配信装置は、前記実物に対応したコンテンツデータを格納するコンテンツデータ格納手段と、前記コンテンツデータ格納手段に格納されているコンテンツデータを前記投影表示装置に送信するデータ送信手段と、前記撮像手段にて撮像された操作または作業に関するデータを受信するデータ受信手段と、前記データ受信手段にて受信された操作または作業に関するデータに基づいて、前記コンテンツデータ格納手段に格納されているコンテンツデータを更新するコンテンツデータ更新手段と、前記データ受信手段にて受信された操作または作業と、前記コンテンツデータ格納手段に格納されている操作手順または作業手順とを比較する比較判定手段と、前記比較判定手段による比較結果に基づいて前記操作または作業に関する警報を前記投影表示装置に通知する警報発生手段と、前記投影表示装置への前記コンテンツデータの配信に対する課金処理を行う課金処理手段とを備えることを特徴とする。
【００１７】
これにより、同一のコンテンツデータを複数の投影表示装置で共有しながら、電気、水道、ガスまたは通信などの公共設備や建築物に関する図面を現場で実寸で表示させたり、
自分の製品を再現した画像を自分の製品に実寸で表示させたりすることが可能となるとともに、その場で実際に行われた操作や作業をコンテンツデータに反映させることが可能となる。このため、投影表示装置を現場に設置することで、熟練工や専門家などの指導を遠隔から受けながら、電気、水道、ガスまたは通信などの公共設備や建築物に関する測量や工事を進めたり、自分の製品についての操作や保守点検を行ったりすることが可能となる。この結果、熟練工や専門家などを現場に配置することなく、実際の現場での測量や工事を正確かつ迅速に行ったり、自分の製品の操作や保守点検を正確かつ迅速に行ったりすることが可能となり、現場で作業や操作を行うために必要なコストを削減することが可能となる。
【００１８】
また、自分で実物を扱いながら操作や作業を行うことが可能となるとともに、操作や作業に対する間違いの指摘をその場で受けることが可能となり、実践的な学習効果を向上させることが可能となる。
一方、コンテンツデータ配信装置は、コンテンツデータを投影表示装置に配信することで、マルチユース率を向上させることが可能となるとともに、コンテンツデータの配信に対する対価を確実に請求することが可能となる。また、操作や作業に対する間違いの指摘を行うことで、自社の製品についての操作や保守点検に関する問い合わせを減らしたり、自社の製品に関する取扱説明書を簡略化したりすることが可能となり、自社の製品についての操作説明や保守点検にかかるコストを削減することが可能となる。
【００１９】
また、請求項７記載の投影表示システムによれば、通信ネットワークを介して接続された投影表示装置とコンテンツデータ配信装置とが設けられ、利用者に配信されるコンテンツデータを特定する識別情報が実物に記録された投影表示システムにおいて、前記投影表示装置は、前記識別情報で特定されるコンテンツデータを前記実物上に実寸で投影する投影表示手段と、前記実物上で行われた操作または作業の状態を撮像する撮像手段と、前記実物に記録された識別情報を読み取る識別情報読み取り手段と、前記識別情報読み取り手段にて読み取られた識別情報にて特定されるコンテンツデータを前記コンテンツデータ配信装置から受信するとともに、前記撮像手段にて撮像された操作または作業に関するデータを前記コンテンツデータ配信装置に送信する通信インターフェースとを備え、前記コンテンツデータ配信装置は、前記実物に対応したコンテンツデータを格納するコンテンツデータ格納手段と、前記コンテンツデータ格納手段に格納されているコンテンツデータを前記識別情報と対応させて管理する識別情報管理手段と、前記識別情報で特定されるコンテンツデータを前記投影表示装置に送信するデータ送信手段と、前記撮像手段にて撮像された操作または作業に関するデータを受信するデータ受信手段と、前記データ受信手段にて受信された操作または作業に関するデータに基づいて、前記コンテンツデータ格納手段に格納されているコンテンツデータを更新するコンテンツデータ更新手段と、前記データ受信手段にて受信された操作または作業と、前記コンテンツデータ格納手段に格納されている操作手順または作業手順とを比較する比較判定手段と、前記比較判定手段による比較結果に基づいて、前記操作または作業に関する警報を前記投影表示装置に通知する警報発生手段と、前記投影表示装置への前記コンテンツデータの配信に対する課金処理を行う課金処理手段とを備えることを特徴とする。
【００２０】
これにより、投影表示装置を実物に向けることで、その実物に対応したコンテンツデータを特定することが可能となり、コンテンツデータ配信装置は、投影表示装置が必要とするコンテンツデータを自動的に選択して投影表示装置に配信することが可能となる。また、同一のコンテンツデータを複数の投影表示装置で共有しながら、電気、水道、ガスまたは通信などの公共設備や建築物に関する図面を現場で実寸で表示させたり、自分の製品を再現した画像を自分の製品に実寸で表示させたりすることが可能となるとともに、その場で実際に行われた操作や作業をコンテンツデータに反映させることが可能となる。
【００２１】
このため、投影表示装置を現場に設置することで、電気、水道、ガスまたは通信などの公共設備や建築物に対応した図面を現場で実寸で表示させながら、測量や工事を進めたり、自分の製品を再現した画像を自分の製品に実寸で表示させながら、自分の製品についての操作や保守点検を行ったりすることが可能となるとともに、熟練工や専門家などの指導を遠隔から受けることが可能となる。また、自分で実物を扱いながら操作や作業を行うことが可能となるとともに、操作や作業に対する間違いの指摘をその場で受けることが可能となり、実践的な学習効果を向上させることが可能となる。
【００２２】
一方、コンテンツデータ配信装置は、識別情報に基づいてコンテンツデータの配信先の管理を行うことが可能となり、コンテンツデータの配信に対する対価を確実に請求することが可能となるとともに、操作や作業に対する間違いの指摘を行うことで、自社の製品についての操作や保守点検に関する問い合わせを減らしたり、自社の製品に関する取扱説明書を簡略化したりすることが可能となり、自社の製品についての操作説明や保守点検にかかるコストを削減することが可能となる。
【００２３】
また、請求項８記載の投影表示システムによれば、前記投影表示装置は、前記警報発生手段から通知された警報に対応する警報メッセージを前記投影表示手段に投影表示させることを特徴とする。
これにより、実際に作業や操作が行われている実物上に警報メッセージを表示させることが可能となり、実物から目を逸らすことなく操作や作業に対する間違いを認識することが可能となるとともに、警報を通知するための表示部を投影表示手段とは別に設ける必要がなくなり、投影表示装置の大型化および高価格化を抑制することができる。
【００２４】
また、請求項９記載の投影表示システムによれば、通信ネットワークを介して接続された投影表示装置とコンテンツデータ配信装置とが設けられた投影表示システムにおいて、前記投影表示装置は、実物に対応したコンテンツデータを前記実物上に実寸で投影する投影表示手段と、前記コンテンツデータが投影される実物の現在の状態を撮像する撮像手段と、前記投影表示手段にて投影されるコンテンツデータを前記コンテンツデータ配信装置から受信するとともに、前記撮像手段にて撮像された実物の現在の状態に関するコンテンツデータを前記コンテンツデータ配信装置に送信する通信インターフェースとを備え、前記コンテンツデータ配信装置は、前記撮像手段にて撮像された実物の現在の状態に関するコンテンツデータを受信するデータ受信手段と、前記データ受信手段にて受信された実物の現在の状態に関するコンテンツデータを格納するコンテンツデータ格納手段と、前記コンテンツデータ格納手段に格納されるコンテンツデータの記録日時を管理する記録日時管理手段と、前記コンテンツデータ格納手段に格納されているコンテンツデータを前記投影表示装置に送信するデータ送信手段と、前記投影表示装置への前記コンテンツデータの配信に対する課金処理を行う課金処理手段とを備えることを特徴とする。
【００２５】
これにより、実物の過去の状態を保存することが可能となるとともに、その実物の過去の状態を現在の状態と照合しながら、建築物に対する作業や物品の配置などを行うことが可能となり、実際の現場で作業を行った後の現状の復元を容易に行うことが可能となる。また、コンテンツデータ配信装置は、任意の時点における作業状態を保管することで、任意の時点における作業状態の原本性を保証することが可能となるとともに、コンテンツデータの認証に対する対価を請求することが可能となる。
【００２６】
また、請求項１０記載の投影表示システムによれば、前記投影表示装置は、前記通信インターフェースを介して受信された原図画像を記憶する原図記憶手段と、投影表示面上に設定された参照基準点の位置を計測するマーク検出手段と、前記マーク検出手段にて計測された参照基準点までの距離を計測する距離計測手段と、前記参照基準点の位置および前記参照基準点までの距離に基づいて、前記原図画像に設けられた基準点が前記参照基準点の位置に一致するように原図画像を描画画像に変換する描画制御手段とを備え、前記投影表示手段は、前記描画制御手段にて生成された描画画像を前記投影表示面上に投影することを特徴とする。
【００２７】
これにより、投影表示面に対する投影表示装置の傾きに対応して投影画像を補正することが可能となり、投影表示装置が投影表示面に対して傾いて設置された場合においても、投影画像を実物に精度よく重ね合わせることが可能となる。このため、投影表示面に対する投影表示装置の位置合わせにかかる手間を省くことが可能となり、様々の環境において、投影画像を実物と正確に照合しながら、実物の操作や作業を行うことができる。
【００２８】
また、請求項１１記載の投影表示方法によれば、投影表示装置にコンテンツデータを配信するステップと、前記投影表示装置に配信されたコンテンツデータを投影表示面上に実寸で投影させるステップと、前記投影表示装置への前記コンテンツデータの配信に対する課金を行うステップとを備えることを特徴とする。
これにより、投影表示装置はコンテンツデータの配信を受けることが可能となり、自分の好みに合った絵画や写真などの画像を容易に取得して投影させることができる。このため、費用を抑制しつつ、高価な絵画や写真などを任意の場所で鑑賞することが可能となるとともに、絵画や写真などを容易に交換することが可能となる。
【００２９】
また、コンテンツデータの配信を受けるために、投影表示装置を持ち運ぶだけでよく、その場に合った書籍や商品カタログなどを任意の場所で閲覧することが可能となる。このため、分厚い書籍や商品カタログなどを持ち運ぶ必要がなくなり、書籍や商品カタログなどの持ち運びにかかる負担を軽減しつつ、セールスなどを効率よく行うことが可能となる。
【００３０】
また、請求項１２記載の投影表示方法によれば、コンテンツデータが格納された記憶媒体を提供するステップと、前記記憶媒体に格納されたコンテンツデータを投影表示装置に取り込ませるステップと、前記投影表示装置に取り込まれたコンテンツデータを投影表示面上に実寸で投影させるステップと、前記コンテンツデータの提供に対する対価を徴収するステップとを備えることを特徴とする。
【００３１】
これにより、記憶媒体に格納されたコンテンツデータを投影表示装置に取り込ませることが可能となり、自分の好みに合った絵画や写真などの画像を容易に取得して投影させたり、その場に合った書籍や商品カタログなどを任意の場所で閲覧することが可能となる。このため、費用を抑制しつつ、高価な絵画や写真などを任意の場所で鑑賞することが可能となるとともに、分厚い書籍や商品カタログなどを持ち運ぶ必要がなくなり、書籍や商品カタログなどの持ち運びにかかる負担を軽減しつつ、セールスなどを効率よく行うことが可能となる。
【００３２】
また、請求項１３記載の投影表示方法によれば、実物に対応したコンテンツデータを投影表示装置に配信するステップと、前記投影表示装置に配信されたコンテンツデータを前記実物上に実寸で投影させるステップと、前記コンテンツデータが投影されている実物上で操作または作業を行うステップと、前記操作または作業が行われた実物上に朱入れを施すステップと、前記実物上に施された朱入れ状態を撮像するステップと、前記撮像された朱入れに関するデータを送信するステップと、前記投影表示装置への前記コンテンツデータの配信に対する課金を行うステップと、前記送信された朱入れに関するデータを受信するステップと、前記受信した朱入れに関するデータに基づいて、前記実物上で行われた操作または作業に対する検収を行うステップとを備えることを特徴とする。
【００３３】
これにより、投影表示装置を現場に設置することで、電気、水道、ガスまたは通信などの公共設備や建築物に関する図面や画像を現場で実寸で表示させながら、測量や工事を進めることが可能となるとともに、測量や工事の進捗状況を朱入れによって効率よく管理することが可能となる。このため、熟練工が立ち会うことなく、測量や工事を正確かつ迅速に行うことが可能となり、納期を短縮することが可能となるとともに、施工にかかるコストを削減することが可能となる。
【００３４】
また、請求項１４記載の投影表示方法によれば、実物に施される操作手順または作業手順に関する一連のコンテンツデータを投影表示装置に配信するステップと、前記投影表示装置に配信されたコンテンツデータを前記実物上に実寸で順次投影させるステップと、前記コンテンツデータが投影されている実物上で操作または作業を行うステップと、前記操作または作業が行われた実物の撮像を行うステップと、前記撮像された操作または作業に関するデータを送信するステップと、前記送信された操作または作業に関するデータを受信するステップと、前記受信された操作または作業に関するデータと、前記投影表示装置に配信された操作手順または作業手順に関するコンテンツデータとを比較するステップと、前記比較結果に基づいて前記操作または作業に関する警報を前記投影表示装置に通知するステップと、前記投影表示装置への前記コンテンツデータの配信に対する課金を行うステップとを備えることを特徴とする。
【００３５】
これにより、投影表示装置を現場に設置することで、電気、水道、ガスまたは通信などの公共設備や建築物に関する図面を現場で実寸で表示させながら、測量や工事を進めたり、自分の製品を再現した画像を自分の製品に実寸で表示させながら、自分の製品についての操作や保守点検を行ったりすることが可能となる。このため、実際の現場での測量や工事を正確かつ迅速に行うことが可能となるとともに、自分の製品の操作や保守点検を正確かつ迅速に行うことができる。また、自分で実物を扱いながら操作や作業を行うことが可能となるとともに、操作や作業に対する間違いの指摘をその場で受けることが可能となり、実践的な学習効果を向上させることが可能となる。
【００３６】
また、請求項１５記載の投影表示方法によれば、第１の実物に対応したコンテンツデータを第１の投影表示装置に配信するステップと、前記第１の投影表示装置に配信されたコンテンツデータを前記第１の実物上に実寸で投影させるステップと、前記コンテンツデータが投影されている第１の実物上で操作または作業を行うステップと、前記操作または作業が行われた第１の実物の撮像を行うステップと、前記第１の実物上で撮像された操作または作業に関するデータを送信するステップと、前記送信された第１の実物上での操作または作業に関するデータを受信するステップと、前記受信された第１の実物上での操作または作業に関するデータに基づいて、前記第１の投影表示装置に配信されたコンテンツデータを更新するステップと、前記更新されたコンテンツデータを第２の投影表示装置に配信するステップと、前記第２の投影表示装置に配信されたコンテンツデータを第２の実物上に実寸で投影させるステップと、前記コンテンツデータが投影されている第２の実物上で操作または作業を行うステップと、前記操作または作業が行われた第２の実物の撮像を行うステップと、前記第２の実物上で撮像された操作または作業に関するデータを送信するステップと、前記送信された第２の実物上での操作または作業に関するデータを受信するステップと、前記受信された第２の実物上での操作または作業に関するデータと、前記第２の投影表示装置に配信されたコンテンツデータとを比較するステップと、前記比較結果に基づいて前記第２の実物上での操作または作業に関する警報を前記第２の投影表示装置に通知するステップと、前記第１または第２の投影表示装置への前記コンテンツデータの配信に対する課金を行うステップとを備えることを特徴とする。
【００３７】
これにより、同一のコンテンツデータを複数の投影表示装置で共有しながら、電気、水道、ガスまたは通信などの公共設備や建築物に関する図面を現場で実寸で表示させたり、
自分の製品を再現した画像を自分の製品に実寸で表示させたりすることが可能となるとともに、その場で実際に行われた操作や作業をコンテンツデータに反映させることが可能となる。このため、投影表示装置を現場に設置することで、熟練工や専門家などの指導を遠隔から受けながら、電気、水道、ガスまたは通信などの公共設備や建築物に関する測量や工事を進めたり、自分の製品についての操作や保守点検を行ったりすることが可能となる。このため、熟練工や専門家などを現場に配置することなく、実際の現場での測量や工事を正確かつ迅速に行ったり、自分の製品の操作や保守点検を正確かつ迅速に行ったりすることが可能となり、現場で作業や操作を行うために必要なコストを削減することが可能となる。また、自分で実物を扱いながら操作や作業を行うことが可能となるとともに、操作や作業に対する間違いの指摘をその場で受けることが可能となり、実践的な学習効果を向上させることが可能となる。
【００３８】
また、請求項１６記載の投影表示方法によれば、コンテンツデータを特定する識別情報を投影表示面上に付与するステップと、前記投影表示面上に付与された識別情報を投影表示装置にて読み取るステップと、前記読み取られた識別情報で特定されるコンテンツデータを前記投影表示装置に配信するステップと、前記投影表示装置に配信されたコンテンツデータを前記投影表示面上に実寸で投影させるステップと、前記投影表示装置への前記コンテンツデータの配信に対する課金を行うステップとを備えることを特徴とする。
【００３９】
これにより、自分が必要とするコンテンツデータの配信を容易に受けることが可能となり、自分の好みに合った絵画や写真などの画像、設備の点検保守現場で必要となった図面などを容易に取得して投影させることが可能となるとともに、識別情報に基づいてコンテンツデータの配信先の管理を行うことが可能となり、コンテンツデータの配信に対する対価を確実に請求することが可能となる。
【００４０】
また、請求項１７記載の投影表示方法によれば、コンテンツデータを特定する識別情報を実物上に付与するステップと、前記実物上に付与された識別情報を投影表示装置にて読み取るステップと、前記読み取られた識別情報で特定される前記実物に施される操作手順または作業手順に関する一連のコンテンツデータを前記投影表示装置に配信するステップと、前記投影表示装置に配信されたコンテンツデータを前記実物上に実寸で順次投影させるステップと、前記コンテンツデータが投影されている実物上で操作または作業を行うステップと、前記操作または作業が行われた実物の撮像を行うステップと、前記撮像された操作または作業に関するデータを送信するステップと、前記送信された操作または作業に関するデータを受信するステップと、前記受信された操作または作業に関するデータと、前記投影表示装置に配信された操作手順または作業手順に関するコンテンツデータとを比較するステップと、前記比較結果に基づいて前記操作または作業に関する警報を前記投影表示装置に通知するステップと、前記投影表示装置への前記コンテンツデータの配信に対する課金を行うステップとを備えることを特徴とする。
【００４１】
これにより、投影表示装置を実物に向けることで、その実物に対応したコンテンツデータを特定することが可能となり、投影表示装置が必要とするコンテンツデータの配信を容易に受けることが可能となる。このため、投影表示装置を現場に設置することで、電気、水道、ガスまたは通信などの公共設備や建築物に対応した図面を現場で実寸で表示させながら、測量や工事を進めたり、自分の製品を再現した画像を自分の製品に実寸で表示させながら、自分の製品についての操作や保守点検を行ったりすることが可能となる。また、実物についての操作や作業を自分で行いながら、その操作や作業に対する間違いの指摘をその場で受けることが可能となり、実際の現場での測量や工事を正確かつ迅速に行ったり、自分の製品の操作や保守点検を正確かつ迅速に行ったりすることができる。
【００４２】
また、請求項１８記載の投影表示方法によれば、第１の利用者に配信されるコンテンツデータを特定する第１の識別情報を第１の実物上に付与するステップと、第２の利用者に配信されるコンテンツデータを特定する第２の識別情報を第２の実物上に付与するステップと、前記第１の識別情報および前記第２の識別情報を共通のコンテンツデータと対応させて登録するステップと、前記第１の実物上に付与された第１の識別情報を第１の投影表示装置にて読み取るステップと、前記第１の識別情報で特定されるコンテンツデータを前記第１の投影表示装置に配信するステップと、前記第１の投影表示装置に配信されたコンテンツデータを前記第１の実物上に実寸で投影させるステップと、前記コンテンツデータが投影されている第１の実物上で操作または作業を行うステップと、前記操作または作業が行われた第１の実物の撮像を行うステップと、前記第１の実物上で撮像された操作または作業に関するデータを送信するステップと、前記送信された第１の実物上での操作または作業に関するデータを受信するステップと、前記受信された第１の実物上での操作または作業に関するデータに基づいて、前記第１の投影表示装置に配信されたコンテンツデータを更新するステップと、前記第２の実物上に付与された第２の識別情報を第２の投影表示装置にて読み取るステップと、前記第２の識別情報で特定される前記更新されたコンテンツデータを第２の投影表示装置に配信するステップと、前記第２の投影表示装置に配信されたコンテンツデータを第２の実物上に実寸で投影させるステップと、前記コンテンツデータが投影されている第２の実物上で操作または作業を行うステップと、前記操作または作業が行われた第２の実物の撮像を行うステップと、前記第２の実物上で撮像された操作または作業に関するデータを送信するステップと、前記送信された第２の実物上での操作または作業に関するデータを受信するステップと、前記受信された第２の実物上での操作または作業に関するデータと、前記第２の投影表示装置に配信されたコンテンツデータとを比較するステップと、前記比較結果に基づいて前記第２の実物上での操作または作業に関する警報を前記第２の投影表示装置に通知するステップと、前記第１または第２の投影表示装置への前記コンテンツデータの配信に対する課金を行うステップとを備えることを特徴とする。
【００４３】
これにより、投影表示装置を実物に向けることで、その実物に対応したコンテンツデータを特定することが可能となり、投影表示装置が必要とするコンテンツデータの配信を受けることが可能となる。また、同一のコンテンツデータを複数の投影表示装置で共有しながら、電気、水道、ガスまたは通信などの公共設備や建築物に関する図面を現場で実寸で表示させたり、自分の製品を再現した画像を自分の製品に実寸で表示させたりすることが可能となるとともに、その場で実際に行われた操作や作業をコンテンツデータに反映させることが可能となる。
【００４４】
このため、投影表示装置を現場に設置することで、電気、水道、ガスまたは通信などの公共設備や建築物に対応した図面を現場で実寸で表示させながら、測量や工事を進めたり、自分の製品を再現した画像を自分の製品に実寸で表示させながら、自分の製品についての操作や保守点検を行ったりすることが可能となるとともに、熟練工や専門家などの指導を遠隔から受けることが可能となる。
【００４５】
また、請求項１９記載の投影表示方法によれば、実物の現在の状態を撮像するステップと、前記撮像された実物の現在の状態に関するコンテンツデータを送信するステップと、前記送信された実物の現在の状態に関するコンテンツデータを受信するステップと、前記受信された実物の現在の状態に関するコンテンツデータを記録日時とともに保管するステップと、前記保管されているコンテンツデータを投影表示装置に配信するステップと、前記投影表示装置に配信されたコンテンツデータを前記実物上に実寸で投影させるステップと、前記コンテンツデータが投影されている実物上で操作または作業を行うステップと、前記操作または作業が行われた実物の撮像を行うステップと、前記撮像された操作または作業後のコンテンツデータを送信するステップと、前記送信された操作または作業後のコンテンツデータを受信するステップと、今回受信されたコンテンツデータと前記保管されているコンテンツデータとを比較するステップと、前記比較結果に基づいて前記操作または作業に関する警報を前記投影表示装置に通知するステップと、前記投影表示装置への前記コンテンツデータの配信に対する課金を行うステップとを備えることを特徴とする。
これにより、実物の過去の状態を保存することが可能となるとともに、その実物の過去の状態を現在の状態と照合しながら、建築物に対する作業や物品の配置などを行うことが可能となり、実際の現場で作業を行った後の現状の復元を容易に行うことが可能となる。
【発明の効果】
【００４６】
以上説明したように、本発明によれば、投影表示装置は、コンテンツデータ配信装置からコンテンツデータの配信を受けることが可能となり、自分の好みに合った絵画や写真などの画像を容易に取得して投影させることが可能となり、また投影像と直接照らし合わせることによって判り易く実物を操作したり、実際の現場で作業を行うことが可能となるとともに、コンテンツデータ配信装置は、顧客の求めるコンテンツを効率よく提供することが可能となり、マルチユース率を向上させることが可能となるとともに、コンテンツデータの配信に対する対価を確実に請求することが可能となる。
【発明を実施するための最良の形態】
【００４７】
以下、本発明の実施形態に係る投影表示システムおよび投影表示方法について図面を参照しながら説明する。
図１は、本発明の第１実施形態に係る投影表示システムの概略構成を示すブロック図である。
図１において、投影表示装置１には、レンズ１ｂを介してコンテンツデータ３ｂを投影表示面上に実寸で投影する投影部１ａおよび投影部１ａにて投影されるコンテンツデータ３ｂをサーバ３から受信する通信インターフェース１ｃが設けられている。また、サーバ３には、投影表示装置１にて投影されるコンテンツデータ３ｂを格納するコンテンツデータ格納部３ａ、コンテンツデータ格納部３ａに格納されているコンテンツデータ３ｂを投影表示装置１に送信するデータ送信部３ｃおよび投影表示装置１へのコンテンツデータ３ｂの配信に対する課金処理を行う課金処理部３ｄが設けられている。
【００４８】
なお、コンテンツデータ３ｂとしては、実物に対応した画像や図面などを挙げることができ、装飾、広報、出版、行政、建築および製造などの分野に及ぶことができる。すなわち、装飾関連では、例えば、絵画や写真などの静止画像および動画像を挙げることができ、広報関連では、例えば、広告ポスター、商品カタログおよびニュースなどの静止画像および動画像を挙げることができ、出版関連では、例えば、文庫本、辞典、雑誌、地図および新聞などの静止画像および動画像を挙げることができ、行政関連では、例えば、電気、水道、ガスまたは通信などの公共設備に関する図面を挙げることができ、建築関連では、例えば、建築物、土木、設備、配管および防災機器などに関する図面を挙げることができ、製造関連では、例えば、機械、装置、設備などに関する図書、仕様書、取り扱い説明書を挙げることができる。
【００４９】
そして、投影表示装置１とサーバ３とは通信ネットワーク２を介して接続されている。なお、通信ネットワーク２としては、例えば、インターネット、固定電話網、無線ＬＡＮ、あるいは携帯電話やＰＨＳなどの移動体通信網などを用いることができる。
そして、利用者４は、例えば、配線基板５に形成された配線パターン５ａの検査を行う場合、配線パターン５ａに対応したコンテンツデータ３ｂをサーバ３から投影表示装置１に取り込ませる。そして、投影表示装置１は、配線パターン５ａに対応したコンテンツデータ３ｂを取り込むと、投影表示装置１は、配線パターン５ａに対応したコンテンツデータ３ｂを投影部１ａに投影させ、配線パターン５ａに対応した投影画像６を配線基板５上に実寸で表示させる。そして、利用者４は、配線基板５に形成された配線パターン５ａを投影画像６と照合することにより、配線基板５に形成された配線パターン５ａの検査を行うことができる。
【００５０】
なお、図１の実施形態では、配線パターン５ａに対応したコンテンツデータ３ｂを配線基板５上に投影させる方法を例にとって説明したが、配線パターン５ａに限定されることなく、絵画や写真などの画像を投影表示面上に実寸で投影させるようにしてもよいし、書籍や商品カタログなどを投影表示面上に実寸で投影させるようにしてもよい。
これにより、投影表示装置１は、サーバ３からコンテンツデータ３ｂの配信を受けることが可能となり、自分の好みに合った絵画や写真などの画像を容易に取得して投影させることができる。このため、費用を抑制しつつ、高価な絵画や写真などを任意の場所で鑑賞することが可能となるとともに、絵画や写真などを容易に交換することが可能となる。また、コンテンツデータ３ｂの配信を受けるために、投影表示装置１を持ち運ぶだけでよく、その場に合った書籍や商品カタログなどを任意の場所で閲覧することが可能となる。このため、分厚い書籍や商品カタログなどを持ち運ぶ必要がなくなり、書籍や商品カタログなどの持ち運びにかかる負担を軽減しつつ、セールスなどを効率よく行うことが可能となる。
【００５１】
一方、サーバ３は、コンテンツデータ３ｂを投影表示装置１に配信することで、マルチユース率を向上させることが可能となるとともに、コンテンツデータ３ｂの配信に対する対価を確実に請求することが可能となる。このため、絵画や書籍を店頭で販売したり、商品カタログなど郵送したりする必要がなくなり、経費の節減を図ることを可能としつつ、顧客の求めるコンテンツを効率よく提供することができる。
【００５２】
図２は、図１の投影表示システムの処理の流れを示すシーケンス図である。
図２において、コンテンツ提供者７は、実物に対応した画像や図面などのコンテンツをサーバ３に提供する（Ｋ１）。そして、コンテンツがサーバ３に提供されると、サーバ３は、そのコンテンツに対応したコンテンツデータ３ｂをコンテンツデータ格納部３ａに格納する。
【００５３】
そして、サーバ３は、予め設定された時点または利用者４からの要求に応じて、コンテンツデータ３ｂをデータ送信部３ｃから通信ネットワーク２を介して投影表示装置１に送信する（Ｋ２）。なお、コンテンツデータ３ｂを投影表示装置１に送信する時点としては、例えば、毎日の午前０時、毎月の１日などに設定することができ、利用者４との契約により更新することができる。また、投影表示装置１が受け取るコンテンツデータ３ｂを特定する場合、利用者４との契約によりコンテンツデータ３ｂの種類を予め設定することができ、特定のグループの中から複数のコンテンツデータ３ｂを選択できるようにしてもよい。また、サーバ３に保存されているコンテンツデータ３ｂの種類の一覧を投影表示装置１に提示し、投影表示装置１側で選択されたコンテンツデータ３ｂを投影表示装置１に配信するようにしてもよい。
【００５４】
ここで、コンテンツデータ３ｂが投影表示装置１に送信されると、課金処理部３ｄは、コンテンツデータ３ｂの配信に対する課金を利用者４に行うことができる（Ｋ３）。なお、課金処理部３ｄは、投影表示装置１に配信されるコンテンツデータ３ｂの種類、コンテンツデータ３ｂの利用時間またはコンテンツデータ３ｂの配信回数などに基づいて対価を決定することができる。
そして、投影表示装置１は、サーバ３からコンテンツデータ３ｂの配信を受けると、そのコンテンツデータ３ｂを投影表示装置１内に保存し、そのコンテンツデータ３ｂを投影表示面上に実寸で投影する（Ｋ４）。そして、コンテンツデータ３ｂが投影表示面上に実寸で投影されると、鑑賞／作業／操作などを投影表示面上で行うことができる（Ｋ５）。
【００５５】
そして、サーバ３は、課金処理部３ｄにて課金処理が行われると、コンテンツデータ３ｂの配信に対する料金を利用者４に請求する（Ｋ６）。そして、利用者４は、コンテンツデータ３ｂの配信に対する料金が請求されると、サーバ３を介してサービス提供者に料金の支払いを行うことができる（Ｋ７）。そして、サーバ３を介してサービス提供者に料金が支払われると、サービス提供者は、コンテンツの提供に対する対価をコンテンツ提供者７に支払うことができる（Ｋ８）。ここで、サービス提供者は、利用者４より支払われた料金からコンテンツ提供者７に支払ったコンテンツの対価（コンテンツの作成費用や版権）を差し引いた差額を受け取ることができる。
【００５６】
なお、図１の実施形態では、通信ネットワーク２を介しコンテンツデータ３ｂをサーバ３から投影表示装置１に取り込む方法について説明したが、コンテンツデータ３ｂが格納された記憶媒体を介してコンテンツデータ３ｂを投影表示装置１に取り込むようにしてもよい。ここで、コンテンツデータ３ｂが格納された記憶媒体としては、例えば、ＣＤ、ＤＶＤ、ＭＤ、ハードディスク、メモリカードまたはＩＣカードなどを用いることができる。
【００５７】
図３は、本発明の第２実施形態に係る投影表示システムの概略構成を示すブロック図である。
図３において、投影表示装置１１には、レンズ１１ｂを介してコンテンツデータ１３ｂを投影表示面上に実寸で投影する投影部１１ａ、投影部１１ａにて投影されるコンテンツデータ１３ｂをサーバ１３から受信するとともに、撮像部１１ｄにて撮像された朱入れに関するデータをサーバ１３に送信する通信インターフェース１１ｃおよび実物上に施された朱入れ状態を撮像する撮像部１１ｄが設けられている。また、サーバ１３には、投影表示装置１１にて投影されるコンテンツデータ１３ｂを格納するコンテンツデータ格納部１３ａ、コンテンツデータ格納部１３ａに格納されているコンテンツデータ１３ｂを投影表示装置１１に送信するデータ送信部１３ｃ、投影表示装置１１へのコンテンツデータ１３ｂの配信に対する課金処理を行う課金処理部１３ｄ、撮像部１１ｄにて撮像された朱入れに関するデータを受信するデータ受信部１３ｅおよび実物上に施された朱入れ状態を管理する朱入れ管理部１３ｆが設けられている。そして、投影表示装置１１とサーバ１３とは通信ネットワーク１２を介して接続されている。
【００５８】
そして、利用者１４は、例えば、家１５に設けられたサッシ１５ａの補修を行う場合、家１５に対応したコンテンツデータ１３ｂをサーバ１３から投影表示装置１１に取り込ませる。そして、投影表示装置１１は、家１５に対応したコンテンツデータ１３ｂを取り込むと、投影表示装置１１は、家１５に対応したコンテンツデータ１３ｂを投影部１１ａに投影させ、家１５に対応した投影画像１６を家１５上に実寸で表示させる。そして、利用者１４は、家１５に設けられたサッシ１５ａを投影画像１６と照合することにより、家１５に設けられたサッシ１５ａの補修を行うことができる。
【００５９】
そして、サッシ１５ａの補修が終了すると、利用者１４は、補修が終了したサッシ１５ａの部分に朱入れ１８を行うことができる。なお、朱入れは、実物に実際にマークを書き込む方法に限らず、例えば、特定の形式（形、色）を持った指示棒を使って、実物上の該当箇所を指示するようにしてもよい。そして、サッシ１５ａの部分に朱入れ１８が行われると、撮像部１１ｄは、サッシ１５ａの部分に行われた朱入れ状態を撮像し、その朱入れに関するデータをサーバ１３に送信する。
【００６０】
そして、サーバ１３は、朱入れに関するデータを投影表示装置１１から受信すると、その朱入れに関するデータをコンテンツデータ格納部１３ａに格納するとともに、朱入れ管理部１３ｆにて朱入れに関するデータを管理することができる。
なお、図３の実施形態では、家１５に対応したコンテンツデータ１３ｂを家１５上に投影させる方法を例にとって説明したが、家１５などの建築物に限定されることなく、電気、水道、ガスまたは通信などの公共設備などの画像を投影表示面上に実寸で投影させるようにしてもよいし、土木、設備、配管および防災機器などに関する図面などを投影表示面上に実寸で投影させるようにしてもよい。
【００６１】
これにより、投影表示装置１１を現場に設置することで、電気、水道、ガスまたは通信などの公共設備や建築物に関する図面や画像を現場で実寸で表示させながら、測量や工事を進めることが可能となるとともに、測量や工事の進捗状況を朱入れによって効率よく管理することが可能となる。このため、熟練工が立ち会うことなく、測量や工事を正確かつ迅速に行うことが可能となり、納期を短縮することが可能となるとともに、施工にかかるコストを削減することが可能となる。
【００６２】
図４は、図３の投影表示システムの処理の流れを示すシーケンス図である。
図４において、コンテンツ提供者１７は、実物に対応した画像や図面などのコンテンツをサーバ１３に提供する（Ｋ１１）。また、発注者１０００は、その実物に対する作業／操作を利用者１４に依頼する（Ｋ１０００）。そして、コンテンツがサーバ１３に提供されると、サーバ１３は、そのコンテンツに対応したコンテンツデータ１３ｂをコンテンツデータ格納部１３ａに格納する。
【００６３】
そして、サーバ１３は、予め設定された時点または利用者１４からの要求に応じて、コンテンツデータ１３ｂをデータ送信部１３ｃから通信ネットワーク１２を介して投影表示装置１１に送信する（Ｋ１２）。なお、投影表示装置１１が受け取るコンテンツデータ１３ｂを特定する場合、サーバ１３に保存されているコンテンツデータ１３ｂの種類の一覧を投影表示装置１１に提示し、投影表示装置１１側で選択されたコンテンツデータ１３ｂを投影表示装置１１に配信するようにしてもよい。ここで、コンテンツデータ１３ｂが投影表示装置１１に送信されると、課金処理部１３ｄは、コンテンツデータ１３ｂの配信に対する課金を利用者１４に行うことができる（Ｋ１３）。
【００６４】
そして、投影表示装置１１は、サーバ１３からコンテンツデータ１３ｂの配信を受けると、そのコンテンツデータ１３ｂを投影表示装置１１内に保存し、そのコンテンツデータ１３ｂを投影表示面上に実寸で投影する（Ｋ１４）。そして、コンテンツデータ１３ｂが投影表示面上に実寸で投影されると、作業／操作などを投影表示面上で行うことができる（Ｋ１５）。
【００６５】
そして、サーバ１３は、課金処理部１３ｄにて課金処理が行われると、コンテンツデータ１３ｂの配信に対する料金を利用者１４に請求する（Ｋ１６）。そして、利用者１４は、コンテンツデータ１３ｂの配信に対する料金が請求されると、サーバ１３を介してサービス提供者に料金の支払いを行うことができる（Ｋ１７）。なお、利用者１４に対する課金を省略することもできる。そして、サーバ１３を介してサービス提供者に料金が支払われると、サービス提供者は、コンテンツの提供に対する対価をコンテンツ提供者１７に支払うことができる（Ｋ１８）。
そして、投影表示面上での作業／操作が終了すると、利用者１４は、作業／操作が終了した部分に朱入れを行うことができる（Ｋ２１）。そして、作業／操作が終了した部分に朱入れが行われると、撮像部１１ｄは、作業／操作が終了した部分に行われた朱入れ状態を撮像し（Ｋ２２）、その朱入れに関するデータをサーバ１３に送信する（Ｋ２３）。
【００６６】
そして、サーバ１３は、朱入れに関するデータを投影表示装置１１から受信すると、その朱入れに関するデータをコンテンツデータ格納部１３ａに格納するとともに、朱入れ管理部１３ｆにて朱入れに関するデータを管理することができる（Ｋ２４）。そして、サーバ１３は、利用者１４により行われた朱入れ部分に関するデータを発注者１０００に提示し（Ｋ２５）、発注者１０００は、朱入れに関するデータに対する対価を支払うとともに（Ｋ１１００）、その朱入れ部分に関するデータに基づいて検収を行うことができる（Ｋ２６）。そして、発注者１０００は、朱入れ部分に関する検収を行うと、利用者１４が行った作業／操作に対する料金を利用者１４に支払うことができる（Ｋ２７）。なお、利用者１４が既に支払ったコンテンツデータ１３ｂの配信料金を検収時に合わせて利用者１４に支払うことにより、利用者１４でなく発注者（作業依頼者）１０００が実質的に負担するようにしてもよい。
【００６７】
図５は、本発明の第３実施形態に係る投影表示システムの概略構成を示すブロック図である。
図５において、投影表示装置２１には、レンズ２１ｂを介してコンテンツデータ２３ｂを投影表示面上に実寸で投影する投影部２１ａ、投影部２１ａにて投影されるコンテンツデータ２３ｂをサーバ２３から受信するとともに、撮像部２１ｄにて撮像された操作または作業に関するデータをサーバ２３に送信する通信インターフェース２１ｃおよび実物上で行われた操作または作業の状態を撮像する撮像部２１ｄが設けられている。また、サーバ２３には、実物に施される操作手順または作業手順に関する一連のコンテンツデータ２３ｂを格納するコンテンツデータ格納部２３ａ、コンテンツデータ格納部２３ａに格納されているコンテンツデータ２３ｂを投影表示装置２１に送信するデータ送信部２３ｃ、投影表示装置２１へのコンテンツデータ２３ｂの配信に対する課金処理を行う課金処理部２３ｄ、撮像部２１ｄにて撮像された操作または作業に関するデータを受信するデータ受信部２３ｅ、データ受信部２３ｅにて受信された操作または作業と、コンテンツデータ格納部２３ａに格納されている操作手順または作業手順とを比較する比較判定部２３ｆおよび比較判定部２３ｆによる比較結果に基づいて操作または作業に関する警報を投影表示装置２１に通知する警報発生部２３ｇが設けられている。そして、投影表示装置２１とサーバ２３とは通信ネットワーク２２を介して接続されている。
【００６８】
なお、操作手順または作業手順に関する一連のコンテンツデータ２３ｂとしては、作業手順に従って変化する構造物の一連の画像を用いることができる。例えば、家電製品の操作パネルでは、操作ボタンを押したり表示が変化するたびに、操作ボタンを撮像し、１０回までの操作なら一連の１０枚の画像をコンテンツデータ２３ｂとすることができる。また、操作手順または作業手順に対応して操作部分や作業部分の色を変えたり、操作部分や作業部分を点滅させたりすることができる。
【００６９】
また、作業手順の別のコンテンツ形式として、一連の手順を記号列として表現する方法もある。例えば、操作手順または作業手順に関する一連のコンテンツデータ２３ｂは、構造物などに付随する部品や操作部などに番号や記号を予め割り当てることにより、例えば、ＳＧＦ（Ｓｍａｒｔ  Ｇａｍｅ  Ｆｏｒｍａｔ）上で記述することができる。また、ＳＧＦによる記述に基づいて実際の一連の作業手順を遂次再現させることもできる。すなわち、投影面上に座標系を定義し、特定の座標Ｘに対する操作Ｆの組[Ｘ，Ｆ]を操作Ｆの順に並べることにより、コンテンツデータ２３ｂを記述することができる。例えば、座標Ｘにある部品を座標Ｙに移動させる操作は、[Ｘ，移動（Ｙ）]という形式で表現することができる。作業手順の表現として、一連の画像と、一連の記号列とは等価である。ここでは、作業手順を一連の画像で表現する方法を例にとって説明を進める。
【００７０】
そして、利用者２４は、例えば、家電製品などの操作パネル２５に設けられた操作ボタン２５ａの操作を行う場合、操作パネル２５に対応したコンテンツデータ２３ｂをサーバ２３から投影表示装置２１に取り込ませる。そして、投影表示装置２１は、操作パネル２５に対応したコンテンツデータ２３ｂを取り込むと、投影表示装置２１は、操作パネル２５に対応したコンテンツデータ２３ｂを投影部２１ａに投影させ、操作パネル２５に対応した投影画像２６を操作パネル２５上に実寸で表示させる。そして、利用者２４は、操作パネル２５に設けられた操作ボタン２５ａを投影画像２６と照合することにより、操作パネル２５に設けられた操作ボタン２５ａの操作を行うことができる。
【００７１】
ここで、投影表示装置２１は、利用者２４による操作パネル２５の操作状況を監視し、利用者２４による操作パネル２５の操作状態を撮像部２１ｄにて撮像することができる。そして、撮像部２１ｄは、操作パネル２５の操作状態を撮像すると、通信ネットワーク２２を介してサーバ２３に送信することができる。そして、サーバ２３は、操作パネル２５の操作状態に関するデータを投影表示装置２１から受信すると、比較判定部２３ｆは、コンテンツデータ格納部２３ａに格納されているコンテンツデータ２３ｂと、操作パネル２５の操作状態に関するデータとを比較する。そして、比較判定部２３ｆは、コンテンツデータ２３ｂで示される操作手順と、操作パネル２５の操作状態とが異なる場合、そのことを警報発生部２３ｇに通知する。そして、警報発生部２３ｇは、コンテンツデータ２３ｂで示される操作手順と、操作パネル２５の操作状態とが異なるという通知を比較判定部２３ｆから受け取ると、操作パネル２５の操作に関する警報を発生させ、通信ネットワーク２２を介して投影表示装置２１に送信する。そして、投影表示装置２１は、操作パネル２５の操作に関する警報をサーバ２３から受け取ると、その警報を利用者２４に通知する。そして、利用者２４は、自分の操作に関する警報が通知されると、自分の操作を修正することができる。
【００７２】
ここで、投影表示装置２１は、警報発生部２３ｇから通知された警報に対応する警報メッセージを投影表示部２１ａに投影表示させるようにしてもよい。これにより、実際に操作が行われている操作パネル２５上に警報メッセージを表示させることが可能となり、操作パネル２５から目を逸らすことなく操作に対する間違いを認識することが可能となるとともに、警報を通知するための表示部を投影表示部２１ａとは別に設ける必要がなくなり、投影表示装置２１の大型化および高価格化を抑制することができる。
【００７３】
そして、利用者２４による操作ボタン２５ａの正しい操作が行われると、サーバ２３は、次の操作を示すためのコンテンツデータ２３ｂを投影表示装置２１に送信することにより、利用者２４は、自分の操作を投影画像２６と照合しながら、操作パネル２５を操作することができる。
なお、図５の実施形態では、操作パネル２５に対応したコンテンツデータ２３ｂを操作パネル２５上に投影させる方法を例にとって説明したが、家電製品などの操作パネル２５に限定されることなく、自動車などの運転席や航空機などの操縦室などの画像を投影表示面上に実寸で投影させるようにしてもよいし、機械室や製造現場などの画像を投影表示面上に実寸で投影させるようにしてもよい。
【００７４】
また、装置の操作手順の説明、装置の分解／修理保守手順の説明、部品の取り付け／組み立て手順の説明、鍵盤楽器などの演奏ガイド、鍵盤による情報入力のガイド、経路のガイドなどに適用するようにしてもよい。
これにより、投影表示装置２１を現場に設置することで、電気、水道、ガスまたは通信などの公共設備や建築物に関する図面を現場で実寸で表示させながら、測量や工事を進めたり、自分の製品を再現した画像を自分の製品に実寸で表示させながら、自分の製品についての操作や保守点検を行ったりすることが可能となる。このため、実際の現場での測量や工事を正確かつ迅速に行うことが可能となるとともに、自分の製品の操作や保守点検を正確かつ迅速に行うことができる。
【００７５】
また、利用者２４は自分で実物を扱いながら操作や作業を行うことが可能となるとともに、操作や作業に対する間違いの指摘をその場で受けることが可能となり、実践的な学習効果を向上させることが可能となる。
一方、サーバ２３は、コンテンツデータ２３ｂを投影表示装置２１に配信することで、マルチユース率を向上させることが可能となるとともに、コンテンツデータ２３ｂの配信に対する対価を確実に請求することが可能となる。また、操作や作業に対する間違いの指摘を行うことで、自社の製品についての操作や保守点検に関する問い合わせを減らしたり、自社の製品に関する取扱説明書を簡略化したりすることが可能となり、自社の製品についての操作説明や保守点検にかかるコストを削減することが可能となる。
【００７６】
なお、図５の実施形態では、投影表示装置２１にコンテンツデータ２３ｂを投影させることで、実際の一連の作業手順を遂次再現させる方法について説明したが、指定された期間は、投影表示装置２１によるコンテンツデータ２３ｂの投影を停止させるようにしてもよい。ただし、投影表示装置２１によるコンテンツデータ２３ｂの投影が停止されている場合においても、利用者２４による操作パネル２５の操作状態を撮像部２１ｄにて撮像させ、利用者２４による操作パネル２５の操作状況を監視することができる。そして、利用者２４がコンテンツデータ２３ｂで示される操作手順と異なった操作を行った場合には、利用者２４に警報を与えるようにしてもよい。これにより、利用者２４は、投影表示装置２１による投影画像２６に依存することなく、自分の判断で操作パネル２５の操作を行うことができ、操作の学習効果を向上させることもできる。
【００７７】
また、操作ボタン２５ａが設けられた操作パネル２５上に参照基準点を設けるようにしてもよい。そして、サーバ２３は、操作パネル２５に対応したコンテンツデータ２３ｂを投影表示装置２１に配信する際に、参照基準点に一致すべきコンテンツデータ内の基準点の情報を投影表示装置２１に配信することができる。これにより、投影表示装置２１は、参照基準点を基準として、操作パネル２５とコンテンツデータ２３ｂとの位置合わせを行うことができ、コンテンツデータ２３ｂを操作パネル２５上に精度よく重ねて投影させることができる。
【００７８】
図６は、図５の投影表示システムの処理の流れを示すシーケンス図である。
図６において、コンテンツ提供者２７は、実物に対応した画像や図面などのコンテンツをサーバ２３に提供する（Ｋ３１）。そして、コンテンツがサーバ２３に提供されると、サーバ２３は、そのコンテンツに対応したコンテンツデータ２３ｂをコンテンツデータ格納部２３ａに格納する。
【００７９】
そして、サーバ２３は、予め設定された時点または利用者２４からの要求に応じて、コンテンツデータ２３ｂをデータ送信部２３ｃから通信ネットワーク２２を介して投影表示装置２１に送信する（Ｋ３２）。なお、投影表示装置２１が受け取るコンテンツデータ２３ｂを特定する場合、サーバ２３に保存されているコンテンツデータ２３ｂの種類の一覧を投影表示装置２１に提示し、投影表示装置２１側で選択されたコンテンツデータ２３ｂを投影表示装置２１に配信するようにしてもよい。ここで、コンテンツデータ２３ｂが投影表示装置２１に送信されると、課金処理部２３ｄは、コンテンツデータ２３ｂの配信に対する課金を利用者２４に行うことができる（Ｋ３３）。
【００８０】
そして、投影表示装置２１は、サーバ２３からコンテンツデータ２３ｂの配信を受けると、そのコンテンツデータ２３ｂを投影表示装置２１内に保存し、そのコンテンツデータ２３ｂを投影表示面上に実寸で投影する（Ｋ３４）。そして、コンテンツデータ２３ｂが投影表示面上に実寸で投影されると、作業／操作などを投影表示面上で行うことができる（Ｋ３５）。
【００８１】
そして、例えば、利用者２４が操作パネル２５上での操作ボタン２５ａの操作を行うと、撮像部２１ｄは、利用者２４による操作パネル２５の操作状態を撮像し（Ｋ３６）、通信ネットワーク２２を介して操作パネル２５の操作状態をサーバ２３に送信することができる（Ｋ３７）。そして、サーバ２３は、操作パネル２５の操作状態に関するデータを投影表示装置２１から受信すると、比較判定部２３ｆは、コンテンツデータ格納部２３ａに格納されているコンテンツデータ２３ｂと、操作パネル２５の操作状態に関するデータとを比較する（Ｋ３８）。そして、警報発生部２３ｇは、コンテンツデータ２３ｂで示される操作手順と操作パネル２５の操作状態とが異なるという判定が比較判定部２３ｆにて行われると、操作パネル２５の操作に関する警報を発生させ、通信ネットワーク２２を介して投影表示装置２１に送信する（Ｋ３９）。
【００８２】
そして、サーバ２３は、課金処理部２３ｄにて課金処理が行われると、コンテンツデータ２３ｂの配信に対する料金を利用者２４に請求する（Ｋ４０）。そして、利用者２４は、コンテンツデータ２３ｂの配信に対する料金が請求されると、サーバ２３を介してサービス提供者に料金の支払いを行うことができる（Ｋ４１）。なお、利用者２４に対する課金をコンテンツ提供者２７は代わりに負担するようにしてもよい。
そして、サーバ２３を介してサービス提供者に料金が支払われると、サービス提供者は、コンテンツの提供に対する対価をコンテンツ提供者２７に支払うことができる（Ｋ４２）。
【００８３】
図７は、本発明の第４実施形態に係る投影表示システムの概略構成を示すブロック図である。
図７において、投影表示装置３１には、レンズ３１ｂを介してコンテンツデータ３３ｂを投影表示面上に実寸で投影する投影部３１ａ、投影部３１ａにて投影されるコンテンツデータ３３ｂをサーバ３３から受信するとともに、撮像部３１ｄにて撮像された操作または作業に関するデータをサーバ３３に送信する通信インターフェース３１ｃおよび実物上で行われた操作または作業の状態を撮像する撮像部３１ｄが設けられている。また、投影表示装置４１には、レンズ４１ｂを介してコンテンツデータ４３ｂを投影表示面上に実寸で投影する投影部４１ａ、投影部４１ａにて投影されるコンテンツデータ４３ｂをサーバ４３から受信するとともに、撮像部４１ｄにて撮像された操作または作業に関するデータをサーバ４３に送信する通信インターフェース４１ｃおよび実物上で行われた操作または作業の状態を撮像する撮像部４１ｄが設けられている。
【００８４】
また、サーバ３３には、実物に対応したコンテンツから今回の作業用に生成されたコンテンツデータ３３ｂを格納するコンテンツデータ格納部３３ａ、コンテンツデータ格納部３３ａに格納されているコンテンツデータ３３ｂを投影表示装置３１、４１に送信するデータ送信部３３ｃ、投影表示装置３１、４１へのコンテンツデータ３３ｂの配信に対する課金処理を行う課金処理部３３ｄ、撮像部３１ｄ、４１ｄにて撮像された操作または作業に関するデータを受信するデータ受信部３３ｅ、データ受信部３３ｅにて受信された操作または作業と、コンテンツデータ格納部３３ａに格納されている操作手順または作業手順とを比較する比較判定部３３ｆ、比較判定部３３ｆによる比較結果に基づいて操作または作業に関する警報を投影表示装置３１、４１に通知する警報発生部３３ｇおよびデータ受信部３３ｅにて受信された操作または作業に関するデータに基づいて、コンテンツデータ格納部３３ａに格納されているコンテンツデータ３３ｂを更新するコンテンツデータ更新部３３ｊが設けられている。そして、投影表示装置３１、４１とサーバ３３とは通信ネットワーク３２を介して接続されている。
【００８５】
そして、各利用者３４、４４は、例えば、自動車のエンジンルーム３５、４５に設けられた部品３５ａ、４５ａの組み立てをそれぞれ行う場合、エンジンルーム３５、４５に対応したコンテンツデータ３３ｂをサーバ３３から投影表示装置３１、４１にそれぞれ取り込ませる。そして、投影表示装置３１、４１は、エンジンルーム３５、４５に対応したコンテンツデータ３３ｂをそれぞれ取り込むと、投影表示装置３１、４１は、エンジンルーム３５、４５に対応したコンテンツデータ３３ｂを投影部３１ａ、４１ａにそれぞれ投影させ、エンジンルーム３５、４５に対応した投影画像３６、４６をエンジンルーム３５、４５上にそれぞれ実寸で表示させる。そして、各利用者３４、４４は、エンジンルーム３５、４５に設けられた部品３５ａ、４５ａを投影画像３６、４６とそれぞれ照合することにより、エンジンルーム３５、４５に設けられた部品３５ａ、４５ａの組み立てを行うことができる。
【００８６】
ここで、各投影表示装置３１、４１は、利用者３４、４４による部品３５ａ、４５ａの組み立て状況をそれぞれ監視し、各利用者３４、４４による部品３５ａ、４５ａの組み立て状態を撮像部３１ｄ、４１ｄにてそれぞれ撮像することができる。そして、各撮像部３１ｄ、４１ｄは、部品３５ａ、４５ａの組み立て状態をそれぞれ撮像すると、通信ネットワーク３２を介してサーバ３３に送信することができる。そして、サーバ３３が、例えば、部品３５ａの組み立て状態に関するデータを投影表示装置３１から受信すると、コンテンツデータ更新部３３ｊは、部品３５ａの組み立て状態に関するデータに基づいて、コンテンツデータ格納部３３ａに格納されているコンテンツデータ３３ｂを更新することができる。
【００８７】
そして、コンテンツデータ格納部３３ａに格納されているコンテンツデータ３３ｂが更新されると、サーバ３３は、その更新されたコンテンツデータ３３ｂを投影表示装置４１に送信することができる。そして、投影表示装置４１は、更新されたコンテンツデータ３３ｂを取り込むと、投影表示装置４１は、更新されたコンテンツデータ３３ｂを投影部４１ａに投影させ、更新された投影画像４６をエンジンルーム４５上に実寸で表示させる。そして、利用者４４は、エンジンルーム４５に設けられた部品４５ａを更新された投影画像４６と照合することにより、エンジンルーム４５に設けられた部品４５ａの組み立てを行うことができる。
【００８８】
そして、撮像部４１ｄは、部品４５ａの組み立て状態を撮像すると、通信ネットワーク３２を介して部品４５ａの組み立て状態に関するデータをサーバ３３に送信することができる。そして、サーバ３３が、部品４５ａの組み立て状態に関するデータを投影表示装置４１から受信すると、比較判定部３３ｆは、コンテンツデータ格納部３３ａに格納されている更新されたコンテンツデータ３３ｂと、部品４５ａの組み立て状態に関するデータとを比較する。そして、比較判定部３３ｆは、コンテンツデータ格納部３３ａに格納されている更新されたコンテンツデータ３３ｂと、部品４５ａの組み立て状態とが異なる場合、そのことを警報発生部３３ｇに通知する。そして、警報発生部３３ｇは、更新されたコンテンツデータ３３ｂと、部品４５ａの組み立て状態とが異なるという通知を比較判定部３３ｆから受け取ると、部品４５ａの組み立てに関する警報を発生させ、通信ネットワーク３２を介して投影表示装置４１に送信する。そして、投影表示装置４１は、部品４５ａの組み立てに関する警報をサーバ３３から受け取ると、その警報を利用者４４に通知する。そして、利用者４４は、自分の作業に関する警報が通知されると、自分の作業を修正することにより、エンジンルーム３５に設けられた部品３５ａの組み立て手順を見習いながら、エンジンルーム４５に設けられた部品４５ａの組み立てを行うことができる。
【００８９】
なお、図７の実施形態では、エンジンルーム３５、４５に対応したコンテンツデータ３３ｂをエンジンルーム３５、４５上に投影させる方法を例にとって説明したが、自動車のエンジンルーム３５、４５に限定されることなく、電子部品が実装された回路基板などの画像を投影表示面上に実寸で投影させるようにしてもよいし、機械設備、配管および防災機器などの画像を投影表示面上に実寸で投影させるようにしてもよい。
【００９０】
これにより、同一のコンテンツデータ３３ｂを複数の投影表示装置３１、４１で共有しながら、電気、水道、ガスまたは通信などの公共設備や建築物に関する図面を現場で実寸で表示させたり、自分の製品を再現した画像を自分の製品に実寸で表示させたりすることが可能となるとともに、その場で実際に行われた操作や作業をコンテンツデータ３３ｂに反映させることが可能となる。このため、投影表示装置３１、４１を現場に設置することで、熟練工や専門家などの指導を遠隔から受けながら、電気、水道、ガスまたは通信などの公共設備や建築物に関する測量や工事を進めたり、自分の製品についての操作や保守点検を行ったりすることが可能となる。この結果、熟練工や専門家などを現場に配置することなく、実際の現場での測量や工事を正確かつ迅速に行ったり、自分の製品の操作や保守点検を正確かつ迅速に行ったりすることが可能となり、現場で作業や操作を行うために必要なコストを削減することが可能となる。
【００９１】
また、自分で実物を扱いながら操作や作業を行うことが可能となるとともに、操作や作業に対する間違いの指摘をその場で受けることが可能となり、実践的な学習効果を向上させることが可能となる。なお、上記の説明では、熟練工や専門家が一方の利用者となる場合を述べたが、これに限られず、コンピュータのアプリケーションプログラムが熟練工や専門家の役割を実行するようにしてもよい。
【００９２】
一方、サーバ３３は、コンテンツデータ３３ｂを投影表示装置３１、４１に配信することで、マルチユース率を向上させることが可能となるとともに、コンテンツデータ３３ｂの配信に対する対価を確実に請求することが可能となる。また、操作や作業に対する間違いの指摘を行うことで、自社の製品についての操作や保守点検に関する問い合わせを減らしたり、自社の製品に関する取扱説明書を簡略化したりすることが可能となり、自社の製品についての操作説明や保守点検にかかるコストを削減することが可能となる。
【００９３】
図８は、図７の投影表示システムの処理の流れを示すシーケンス図である。
図８において、コンテンツ提供者３７は、実物に対応した画像や図面などのコンテンツをサーバ３３に提供する（Ｋ５１）。そして、コンテンツがサーバ３３に提供されると、サーバ３３は、そのコンテンツから今回の作業用に作成されたコンテンツデータ３３ｂをコンテンツデータ格納部３３ａに格納する。
【００９４】
そして、サーバ３３は、予め設定された時点または利用者３４からの要求に応じて、コンテンツデータ３３ｂをデータ送信部３３ｃから通信ネットワーク３２を介して投影表示装置３１に送信する（Ｋ５２）。なお、投影表示装置３１が受け取るコンテンツデータ３３ｂを特定する場合、サーバ３３に保存されているコンテンツデータ３３ｂの種類の一覧を投影表示装置３１に提示し、投影表示装置３１側で選択されたコンテンツデータ３３ｂを投影表示装置３１に配信するようにしてもよい。ここで、コンテンツデータ３３ｂが投影表示装置３１に送信されると、課金処理部３３ｄは、コンテンツデータ３３ｂの配信に対する課金を利用者３４に行うことができる（Ｋ５３）。
【００９５】
そして、投影表示装置３１は、サーバ３３からコンテンツデータ３３ｂの配信を受けると、そのコンテンツデータ３３ｂを投影表示装置３１内に保存し、そのコンテンツデータ３３ｂを投影表示面上に実寸で投影する（Ｋ５４）。そして、コンテンツデータ３３ｂが投影表示面上に実寸で投影されると、作業／操作などを投影表示面上で行うことができる（Ｋ５５）。
【００９６】
そして、例えば、利用者３４が自動車のエンジンルーム３５上で部品３５ａの組み立てを行うと、撮像部３１ｄは、利用者３４による部品３５ａの組み立て状態を撮像し（Ｋ５６）、通信ネットワーク３２を介して部品３５ａの組み立て状態をサーバ３３に送信する（Ｋ５７）。そして、サーバ３３は、部品３５ａの組み立て状態に関するデータを投影表示装置３１から受信すると、コンテンツデータ更新部３３ｊは、部品３５ａの組み立て状態に関するデータに基づいて、コンテンツデータ格納部３３ａに格納されているコンテンツデータ３３ｂを更新する（Ｋ５８）。
【００９７】
そして、コンテンツデータ格納部３３ａに格納されているコンテンツデータ３３ｂが更新されると、サーバ３３は、その更新されたコンテンツデータ３３ｂを投影表示装置４１に送信する（Ｋ５９）。ここで、コンテンツデータ３３ｂが投影表示装置４１に送信されると、課金処理部３３ｄは、コンテンツデータ３３ｂの配信に対する課金を利用者４４に行うことができる（Ｋ６０）。
【００９８】
そして、投影表示装置４１は、更新されたコンテンツデータ３３ｂを取り込むと、投影表示装置４１は、更新されたコンテンツデータ３３ｂを投影部４１ａに投影させ、更新された投影画像４６をエンジンルーム４５上に実寸で表示させる（Ｋ６１）。そして、利用者４４は、エンジンルーム４５に設けられた部品４５ａを更新された投影画像４６と照合することにより、エンジンルーム４５に設けられた部品４５ａの組み立てを行うことができる（Ｋ６２）。
【００９９】
そして、撮像部４１ｄは、部品４５ａの組み立て状態を撮像すると（Ｋ６３）、通信ネットワーク３２を介して部品４５ａの組み立て状態に関するデータをサーバ３３に送信する（Ｋ６４）。そして、サーバ３３が、部品４５ａの組み立て状態に関するデータを投影表示装置４１から受信すると、比較判定部３３ｆは、コンテンツデータ格納部３３ａに格納されている更新されたコンテンツデータ３３ｂと、部品４５ａの組み立て状態に関するデータとを比較する（Ｋ６５）。そして、警報発生部３３ｇは、更新されたコンテンツデータ３３ｂと部品４５ａの組み立て状態とが異なるという判定が比較判定部３３ｆにて行われると、部品４５ａの組み立てに関する警報を発生させ、通信ネットワーク３２を介して投影表示装置４１に送信する（Ｋ６６）。
【０１００】
そして、サーバ３３は、課金処理部３３ｄにて課金処理が行われると、コンテンツデータ３３ｂの配信に対する料金を利用者３４、４４に請求する（Ｋ６７、Ｋ７０）。そして、利用者３４、４４は、コンテンツデータ３３ｂの配信に対する料金が請求されると、サーバ３３を介してサービス提供者に料金の支払いを行うことができる（Ｋ６８、Ｋ７１）。そして、サーバ３３を介してサービス提供者に料金が支払われると、サービス提供者は、コンテンツの提供に対する対価をコンテンツ提供者３７に支払うことができる（Ｋ６９、Ｋ７２）。
【０１０１】
図９は、本発明の第５実施形態に係る投影表示システムの概略構成を示すブロック図である。
図９において、投影表示装置５１には、レンズ５１ｂを介してコンテンツデータ５３ｂを投影表示面５５上に実寸で投影する投影部５１ａおよび投影部５１ａにて投影されるコンテンツデータ５３ｂをサーバ５３から受信する通信インターフェース５１ｃが設けられている。また、投影表示装置５１に対応して設置された投影表示面５５上には、コンテンツデータ５３ｂを特定する識別情報５８ａが記録されている。また、投影表示装置６１には、レンズ６１ｂを介してコンテンツデータ６３ｂを投影表示面６５上に実寸で投影する投影部６１ａおよび投影部６１ａにて投影されるコンテンツデータ６３ｂをサーバ５３から受信する通信インターフェース６１ｃが設けられている。また、投影表示装置６１に対応して設置された投影表示面６５上には、コンテンツデータ６３ｂを特定する識別情報６８ａが記録されている。なお、識別情報５８ａ、６８ａを投影表示面５６、６５上にそれぞれ記録する方法としては、投影表示面５５、６５上にバーコートを貼り付けたり、投影表示面５５、６５上にＲＦ−ＩＣタグを取り付けたりする方法を用いることができる。
【０１０２】
また、サーバ５３には、投影表示装置５１、６１にて投影されるコンテンツデータ５３ｂ、６３ｂを格納するコンテンツデータ格納部５３ａ、コンテンツデータ格納部５３ａに格納されているコンテンツデータ５３ｂ、６３ｂを投影表示装置５１、６１にそれぞれ送信するデータ送信部５３ｃ、投影表示装置５１、６１へのコンテンツデータ５３ｂ、６３ｂｂの配信に対する課金処理を行う課金処理部５３ｄおよびコンテンツデータ格納部５３ａに格納されているコンテンツデータ５３ｂ、６３ｂを識別情報５８ｂ、６８ｂとそれぞれ対応させて管理する識別情報管理部５３ｈが設けられている。なお、識別情報管理部５３ｈにて管理されている識別情報５８ｂ、６８ｂは、投影表示面５５、６５上にそれぞれ記録されている識別情報５８ａ、６８ａと対応させることができる。そして、投影表示装置５１、６１とサーバ５３とは通信ネットワーク５２を介して接続されている。
【０１０３】
そして、利用者５４は、投影表示面５５上に投影画像５６を表示させる場合、投影表示面５５上に記録された識別情報５８ａを投影表示装置５１にて読み取る。そして、識別情報５８ａが投影表示装置５１にて読み取られると、通信ネットワーク６２を介して識別情報５８ａがサーバ６３に送信される。そして、サーバ６３が投影表示装置５１から識別情報５８ａを受信すると、識別情報管理部５３ｈは、その識別情報５８ａに対応したコンテンツデータ５３ｂを選択し、通信ネットワーク６２を介して投影表示装置５１に送信する。そして、投影表示装置５１は、識別情報５８ａで特定されるコンテンツデータ５３ｂを取り込むと、投影表示装置５１は、識別情報５８ａで特定されるコンテンツデータ５３ｂを投影部５１ａに投影させ、コンテンツデータ５３ｂに対応した投影画像５６を投影表示面５５上に実寸で表示させる。
【０１０４】
また、利用者６４は、投影表示面６５上に投影画像６６を表示させる場合、投影表示面６５上に記録された識別情報６８ａを投影表示装置６１にて読み取る。そして、識別情報６８ａが投影表示装置６１にて読み取られると、通信ネットワーク６２を介して識別情報６８ａがサーバ６３に送信される。そして、サーバ６３が投影表示装置６１から識別情報６８ａを受信すると、識別情報管理部５３ｈは、その識別情報６８ａに対応したコンテンツデータ６３ｂを選択し、通信ネットワーク６２を介して投影表示装置６１に送信する。そして、投影表示装置６１は、識別情報６８ａで特定されるコンテンツデータ６３ｂを取り込むと、投影表示装置６１は、識別情報６８ａで特定されるコンテンツデータ６３ｂを投影部６１ａに投影させ、コンテンツデータ６３ｂに対応した投影画像６６を投影表示面６５上に実寸で表示させる。
【０１０５】
これにより、サーバ６３は、利用者５４、６４が必要とするコンテンツデータ５３ｂ、６３ｂをそれぞれ選択して投影表示装置５１、６１に配信することが可能となる。このため、投影表示装置５１、６１は、自分が必要とするコンテンツデータ５３ｂ、６３ｂの配信をサーバ６３から受けることが可能となり、自分の好みに合った絵画や写真などの画像を容易に取得して投影させることができる。
【０１０６】
また、サーバ６３は、識別情報５８ａ、６８ａに基づいてコンテンツデータ５３ｂ、６３ｂの配信先の管理を行うことが可能となる。例えば、コンテンツデータを特定する固有の番号と、通番をなす枝番号とから識別情報を構成する。こうすることにより、同じコンテンツデータを特定する識別情報であっても、唯一の枝番号によって個々の利用者を区別できる。このため、コンテンツデータ５３ｂ、６３ｂの配信に対する課金を正確に行うことが可能となり、コンテンツデータ５３ｂ、６３ｂの配信に対する対価を確実に請求することが可能となる。
【０１０７】
図１０は、図９の投影表示システムの処理の流れを示すシーケンス図である。
図１０において、コンテンツ提供者５７は、実物に対応した画像や図面などのコンテンツをサーバ５３に提供する（Ｋ８１）。そして、コンテンツがサーバ５３に提供されると、サーバ５３は、そのコンテンツに対応したコンテンツデータ５３ｂ、６３ｂをコンテンツデータ格納部５３ａに格納する。また、サーバ５３は、コンテンツが提供されると、そのコンテンツに対応したコンテンツデータ５３ｂ、６３ｂにそれぞれ識別情報５８ｂ、６８ｂを付与し、その識別情報５８ｂ、６８ｂを利用者５４、６５に通知する（Ｋ８２）。そして、利用者５４、６４は、コンテンツデータ５３ｂ、６３ｂにそれぞれ対応した識別情報５８ｂ、６８ｂが通知されると、識別情報５８ｂ、６８ｂにそれぞれ対応した識別情報５８ａ、６８ａを投影表示面５５、６５上にそれぞれ設定することができる（Ｋ８３）。なお、予め識別情報を設定した投影表示面をそれぞれの利用者５４、６４に配布するようにしてもよい。
【０１０８】
そして、各利用者５４、６４は、投影表示面５５、６５上に投影画像５６、６６をそれぞれ表示させる場合、投影表示面５５、６５上に記録された識別情報５８ａ、５８ａを投影表示装置５１、６１にてそれぞれ読み取る（Ｋ８４）。そして、識別情報５８ａ、５８ａが投影表示装置５１、６１にてそれぞれ読み取られると、通信ネットワーク６２を介して識別情報５８ａ、５８ａがサーバ６３に送信される（Ｋ８５）。そして、サーバ６３が投影表示装置５１、６１から識別情報５８ａ、５８ａをそれぞれ受信すると、識別情報管理部５３ｈは、その識別情報５８ａ、５８ａに対応したコンテンツデータ５３ｂ、６３ｂをそれぞれ選択し、通信ネットワーク６２を介して投影表示装置５１、６１にそれぞれ送信する（Ｋ８６）。
【０１０９】
ここで、コンテンツデータ５３ｂ、６３ｂが投影表示装置５１、６１にそれぞれ送信されると、課金処理部５３ｄは、コンテンツデータ５３ｂ、６３ｂの配信に対する課金を利用者５４、６４にそれぞれ行うことができる（Ｋ８７）。そして、投影表示装置５１、６１は、サーバ５３からコンテンツデータ５３ｂ、６３ｂの配信をそれぞれ受けると、そのコンテンツデータ５３ｂ、６３ｂを投影表示装置５１、６１内にそれぞれ保存し、そのコンテンツデータ５３ｂ、６３ｂを投影表示面５５、６５上に実寸でそれぞれ投影する（Ｋ８８）。そして、コンテンツデータ５３ｂ、６３ｂが投影表示面５５、６５上に実寸でそれぞれ投影されると、利用者５４、６４は、鑑賞／作業／操作などを投影表示面５５、６５上でそれぞれ行うことができる（Ｋ８９）。
【０１１０】
そして、サーバ５３は、課金処理部５３ｄにて課金処理が行われると、コンテンツデータ５３ｂ、６３ｂの配信に対する料金を利用者５４、６４にそれぞれ請求する（Ｋ９０）。そして、利用者５４、６４は、コンテンツデータ５３ｂ、６３ｂの配信に対する料金が請求されると、サーバ５３を介してサービス提供者に料金の支払いを行うことができる（Ｋ９１）。そして、サーバ５３を介してサービス提供者に料金が支払われると、サービス提供者は、コンテンツの提供に対する対価をコンテンツ提供者５７に支払うことができる（Ｋ９２）。
【０１１１】
図１１は本発明の第６実施形態に係る投影表示システムの概略構成を示すブロック図である。
図１１において、投影表示装置７１には、レンズ７１ｂを介してコンテンツデータ７３ｂを投影表示面上に実寸で投影する投影部７１ａ、投影部７１ａにて投影されるコンテンツデータ７３ｂをサーバ７３から受信するとともに、撮像部７１ｄにて撮像された操作または作業に関するデータをサーバ７３に送信する通信インターフェース７１ｃおよび実物上で行われた操作または作業の状態を撮像する撮像部７１ｄが設けられている。また、投影表示装置７１の前面には、例えば、自動車のエンジンルーム７５が設置され、エンジンルーム７５には、コンテンツデータ７３ｂを特定する識別情報７８ａが記録されている。また、投影表示装置８１には、レンズ８１ｂを介してコンテンツデータ８３ｂを投影表示面上に実寸で投影する投影部８１ａ、投影部８１ａにて投影されるコンテンツデータ８３ｂをサーバ８３から受信するとともに、撮像部８１ｄにて撮像された操作または作業に関するデータをサーバ８３に送信する通信インターフェース８１ｃおよび実物上で行われた操作または作業の状態を撮像する撮像部８１ｄが設けられている。また、投影表示装置８１の前面には、例えば、電子部品８５ａが搭載された回路基板８５が設置され、回路基板８５には、コンテンツデータ８３ｂを特定する識別情報８８ａが記録されている。
【０１１２】
また、サーバ７３には、実物に対応したコンテンツデータ７３ｂ、８３ｂを格納するコンテンツデータ格納部７３ａ、コンテンツデータ格納部７３ａに格納されているコンテンツデータ７３ｂ、８３ｂを投影表示装置７１、８１にそれぞれ送信するデータ送信部７３ｃ、投影表示装置７１、８１へのコンテンツデータ７３ｂ、８３ｂの配信に対する課金処理をそれぞれ行う課金処理部７３ｄ、撮像部７１ｄ、８１ｄにて撮像された操作または作業に関するデータをそれぞれ受信するデータ受信部７３ｅ、データ受信部７３ｅにて受信された操作または作業と、コンテンツデータ格納部７３ａに格納されている操作手順または作業手順とを比較する比較判定部７３ｆ、比較判定部７３ｆによる比較結果に基づいて操作または作業に関する警報を投影表示装置７１、８１に通知する警報発生部７３ｇおよびコンテンツデータ格納部７３ａに格納されているコンテンツデータ７３ｂ、８３ｂを識別情報７８ｂ、８８ｂとそれぞれ対応させて管理する識別情報管理部７３ｈが設けられている。なお、識別情報管理部７３ｈにて管理されている識別情報７８ｂは、エンジンルーム７５に記録されている識別情報７８ａと対応させることができ、識別情報管理部７３ｈにて管理されている識別情報８８ｂは、回路基板８５に記録されている識別情報８８ａと対応させることができる。そして、投影表示装置７１、８１とサーバ７３とは通信ネットワーク７２を介して接続されている。
【０１１３】
そして、利用者７４は、エンジンルーム７５上に投影画像７６を表示させる場合、エンジンルーム７５上に記録された識別情報７８ａを投影表示装置７１にて読み取る。そして、識別情報７８ａが投影表示装置７１にて読み取られると、通信ネットワーク７２を介して識別情報７８ａがサーバ７３に送信される。そして、サーバ７３が投影表示装置７１から識別情報７８ａを受信すると、識別情報管理部７３ｈは、その識別情報７８ａに対応したコンテンツデータ７３ｂを選択し、通信ネットワーク７２を介して投影表示装置７１に送信する。そして、投影表示装置７１は、エンジンルーム７５に対応したコンテンツデータ７３ｂを取り込むと、投影表示装置７１は、エンジンルーム７５に対応したコンテンツデータ７３ｂを投影部７１ａに投影させ、エンジンルーム７５に対応した投影画像７６をエンジンルーム７５上に実寸で表示させる。そして、利用者７４は、エンジンルーム７５に設けられた部品７５ａを投影画像７６と照合することにより、エンジンルーム７５に設けられた部品７５ａの組み立てを行うことができる。
【０１１４】
ここで、投影表示装置７１は、利用者７４による部品７５ａの組み立て状況を監視し、利用者７４による部品７５ａの組み立て状態を撮像部７１ｄにて撮像することができる。そして、各撮像部７１ｄは、部品７５ａの組み立て状態を撮像すると、通信ネットワーク７２を介してサーバ７３に送信することができる。
そして、サーバ７３が、部品７５ａの組み立て状態に関するデータを投影表示装置７１から受信すると、比較判定部７３ｆは、コンテンツデータ格納部７３ａに格納されているコンテンツデータ７３ｂと、部品７５ａの組み立て状態に関するデータとを比較する。そして、比較判定部７３ｆは、コンテンツデータ７３ｂで示される作業手順と、部品７５ａの組み立て状態とが異なる場合、そのことを警報発生部７３ｇに通知する。そして、警報発生部７３ｇは、コンテンツデータ７３ｂで示される作業手順と、部品７５ａの組み立て状態とが異なるという通知を比較判定部７３ｆから受け取ると、部品７５ａの組み立てに関する警報を発生させ、通信ネットワーク７２を介して投影表示装置７１に送信する。そして、投影表示装置７１は、部品７５ａの組み立てに関する警報をサーバ７３から受け取ると、その警報を利用者７４に通知する。そして、利用者７４は、自分の作業に関する警報が通知されると、自分の作業を修正することができる。
【０１１５】
また、利用者８４は、回路基板８５上に投影画像８６を表示させる場合、回路基板８５上に記録された識別情報８８ａを投影表示装置８１にて読み取る。そして、識別情報８８ａが投影表示装置８１にて読み取られると、通信ネットワーク７２を介して識別情報８８ａがサーバ７３に送信される。そして、サーバ７３が投影表示装置８１から識別情報８８ａを受信すると、識別情報管理部７３ｈは、その識別情報８８ａに対応したコンテンツデータ８３ｂを選択し、通信ネットワーク７２を介して投影表示装置８１に送信する。そして、投影表示装置８１は、回路基板８５に対応したコンテンツデータ８３ｂを取り込むと、投影表示装置８１は、回路基板８５に対応したコンテンツデータ８３ｂを投影部８１ａに投影させ、回路基板８５に対応した投影画像８６を回路基板８５上に実寸で表示させる。そして、利用者８４は、回路基板８５に設けられた電子部品８５ａを投影画像８６と照合することにより、回路基板８５に設けられた電子部品８５ａの実装を行うことができる。
【０１１６】
ここで、投影表示装置８１は、利用者８４による電子部品８５ａの実装状況を監視し、利用者８４による電子部品８５ａの実装状態を撮像部８１ｄにて撮像することができる。そして、各撮像部８１ｄは、電子部品８５ａの実装状態を撮像すると、通信ネットワーク７２を介してサーバ７３に送信することができる。
そして、サーバ７３が、電子部品８５ａの実装状態に関するデータを投影表示装置８１から受信すると、比較判定部７３ｆは、コンテンツデータ格納部７３ａに格納されているコンテンツデータ８３ｂと、電子部品８５ａの実装状態に関するデータとを比較する。そして、比較判定部７３ｆは、コンテンツデータ８３ｂで示される作業手順と、電子部品８５ａの実装状態とが異なる場合、そのことを警報発生部７３ｇに通知する。そして、警報発生部７３ｇは、コンテンツデータ８３ｂで示される作業手順と、電子部品８５ａの実装状態とが異なるという通知を比較判定部７３ｆから受け取ると、電子部品８５ａの実装に関する警報を発生させ、通信ネットワーク７２を介して投影表示装置８１に送信する。そして、投影表示装置８１は、電子部品８５ａの実装に関する警報をサーバ７３から受け取ると、その警報を利用者８４に通知する。そして、利用者８４は、自分の作業に関する警報が通知されると、自分の作業を修正することができる。
【０１１７】
これにより、投影表示装置７１、８１を実物に向けることで、その実物に対応したコンテンツデータ７３ｂ、８３ｂをそれぞれ特定することが可能となり、サーバ７３は、各利用者７４、８４がそれぞれ必要とするコンテンツデータ７３ｂ、８３ｂを自動的に選択して投影表示装置７１、８１にそれぞれ配信することが可能となる。このため、投影表示装置７１、８１を現場に設置することで、電気、水道、ガスまたは通信などの公共設備や建築物に対応した図面を現場で実寸で表示させながら、測量や工事を進めたり、自分の製品を再現した画像を自分の製品に実寸で表示させながら、自分の製品についての操作や保守点検を行ったりすることが可能となる。また、実物についての操作や作業を自分で行いながら、その操作や作業に対する間違いの指摘をその場で受けることが可能となり、実際の現場での測量や工事を正確かつ迅速に行ったり、自分の製品の操作や保守点検を正確かつ迅速に行ったりすることができる。
【０１１８】
一方、サーバ７３は、識別情報７８ａ、８８ａに基づいてコンテンツデータ７３ｂ、８３ｂの配信先の管理を行うことが可能となる。例えば、コンテンツデータを特定する固有の番号と、通番をなす枝番号とから識別情報を構成する。こうすることにより、同じコンテンツデータを特定する識別情報であっても、唯一の枝番号によって個々の利用者を区別できる。このため、コンテンツデータ７３ｂ、８３ｂの配信に対する対価を確実に請求することが可能となる。それとともに、操作や作業に対する間違いの指摘を行うことで、自社の製品についての操作や保守点検に関する問い合わせを減らしたり、自社の製品に関する取扱説明書を簡略化したりすることが可能となり、自社の製品についての操作説明や保守点検にかかるコストを削減することが可能となる。
【０１１９】
図１２は、図１１の投影表示システムの処理の流れを示すシーケンス図である。
図１２において、コンテンツ提供者７７は、実物に対応した画像や図面などのコンテンツをサーバ７３に提供する（Ｋ１０１）。そして、コンテンツがサーバ７３に提供されると、サーバ７３は、そのコンテンツに対応したコンテンツデータ７３ｂ、８３ｂをコンテンツデータ格納部７３ａに格納する。また、サーバ７３は、コンテンツが提供されると、そのコンテンツに対応したコンテンツデータ７３ｂ、８３ｂにそれぞれ識別情報７８ｂ、８８ｂを付与し、その識別情報７８ｂ、８８ｂを利用者７４、８４にそれぞれ通知する（Ｋ１０２）。そして、利用者７４、８４は、コンテンツデータ７３ｂ、８３ｂにそれぞれ対応した識別情報７８ｂ、８８ｂが通知されると、識別情報７８ｂ、８８ｂにそれぞれ対応した識別情報７８ａ、８８ａをエンジンルーム７５および回路基板８５上にそれぞれ設定することができる（Ｋ１０３）。なお、予め識別情報を実物に設定しておくようにしてもよい。
【０１２０】
そして、各利用者７４、８４は、エンジンルーム７５および回路基板８５上に投影画像７６、８６をそれぞれ表示させる場合、エンジンルーム７５および回路基板８５上にそれぞれ記録された識別情報７８ａ、８８ａを投影表示装置７１、８１にてそれぞれ読み取る（Ｋ１０４）。そして、識別情報７８ａ、８８ａが投影表示装置７１、８１にてそれぞれ読み取られると、通信ネットワーク７２を介して識別情報７８ａ、８８ａがサーバ７３に送信される（Ｋ１０５）。そして、サーバ７３が投影表示装置７１、８１から識別情報７８ａ、８８ａをそれぞれ受信すると、識別情報管理部７３ｈは、その識別情報７８ａ、８８ａに対応したコンテンツデータ７３ｂ、８３ｂをそれぞれ選択し、通信ネットワーク７２を介して投影表示装置７１、８１にそれぞれ送信する（Ｋ１０６）。
【０１２１】
ここで、コンテンツデータ７３ｂ、８３ｂが投影表示装置７１、８１にそれぞれ送信されると、課金処理部７３ｄは、コンテンツデータ７３ｂ、８３ｂの配信に対する課金を利用者７４、８４にそれぞれ行うことができる（Ｋ１０７）。そして、投影表示装置７１、８１は、サーバ７３からコンテンツデータ７３ｂ、８３ｂの配信をそれぞれ受けると、そのコンテンツデータ７３ｂ、８３ｂを投影表示装置７１、８１内にそれぞれ保存し、そのコンテンツデータ７３ｂ、８３ｂをエンジンルーム７５および回路基板８５上に実寸でそれぞれ投影する（Ｋ１０８）。そして、コンテンツデータ７３ｂ、８３ｂがエンジンルーム７５および回路基板８５上に実寸でそれぞれ投影されると、利用者７４、８４は、作業／操作などをエンジンルーム７５および回路基板８５上でそれぞれ行うことができる（Ｋ１０９）。
【０１２２】
そして、例えば、利用者７４がエンジンルーム７５に設けられた部品７５ａの組み立てを行うと、撮像部７１ｄは、利用者７４による部品７５ａの組み立て状態を撮像し（Ｋ１１０）、通信ネットワーク７２を介して部品７５ａの組み立て状態をサーバ７３に送信することができる（Ｋ１１１）。そして、サーバ７３は、部品７５ａの組み立て状態に関するデータを投影表示装置７１から受信すると、比較判定部７３ｆは、コンテンツデータ格納部７３ａに格納されているコンテンツデータ７３ｂと、部品７５ａの組み立て状態に関するデータとを比較する（Ｋ１１２）。そして、警報発生部７３ｇは、コンテンツデータ７３ｂで示される操作手順と部品７５ａの組み立て状態とが異なるという判定が比較判定部７３ｆにて行われると、部品７５ａの組み立てに関する警報を発生させ、通信ネットワーク７２を介して投影表示装置７１に送信する（Ｋ１１３）。
【０１２３】
そして、サーバ７３は、課金処理部７３ｄにて課金処理が行われると、コンテンツデータ７３ｂ、８３ｂの配信に対する料金を利用者７４、８４にそれぞれ請求する（Ｋ１１４）。そして、利用者７４、８４は、コンテンツデータ７３ｂ、８３ｂの配信に対する料金が請求されると、サーバ７３を介してサービス提供者に料金の支払いを行うことができる（Ｋ１１５）。そして、サーバ７３を介してサービス提供者に料金が支払われると、サービス提供者は、コンテンツの提供に対する対価をコンテンツ提供者７７に支払うことができる（Ｋ１１６）。
【０１２４】
図１３は、本発明の第７実施形態に係る投影表示システムの概略構成を示すブロック図である。
図１３において、投影表示装置９１には、レンズ９１ｂを介してコンテンツデータ９３ｂを投影表示面上に実寸で投影する投影部９１ａ、投影部９１ａにて投影されるコンテンツデータ９３ｂをサーバ９３から受信するとともに、撮像部９１ｄにて撮像された操作または作業に関するデータをサーバ９３に送信する通信インターフェース９１ｃおよび実物上で行われた操作または作業の状態を撮像する撮像部９１ｄが設けられている。また、投影表示装置９１の前面には、例えば、電子部品９５ａが搭載された回路基板９５が設置され、回路基板９５には、コンテンツデータ９３ｂを特定する識別情報９８ａが記録されている。また、投影表示装置１０１には、レンズ１０１ｂを介してコンテンツデータ９３ｂを投影表示面上に実寸で投影する投影部１０１ａ、投影部１０１ａにて投影されるコンテンツデータ９３ｂをサーバ９３から受信するとともに、撮像部１０１ｄにて撮像された操作または作業に関するデータをサーバ９３に送信する通信インターフェース１０１ｃおよび実物上で行われた操作または作業の状態を撮像する撮像部１０１ｄが設けられている。また、投影表示装置１０１の前面には、例えば、電子部品１０５ａが搭載された回路基板１０５が設置され、回路基板１０５には、コンテンツデータ９３ｂを特定する識別情報１０８ａが記録されている。
【０１２５】
また、サーバ９３には、実物に対応したコンテンツから今回の作業用に生成されたコンテンツデータ９３ｂを格納するコンテンツデータ格納部９３ａ、コンテンツデータ格納部９３ａに格納されているコンテンツデータ９を投影表示装置９１、１０１に送信するデータ送信部９３ｃ、投影表示装置９１、１０１へのコンテンツデータ９３ｂの配信に対する課金処理を行う課金処理部９３ｄ、撮像部９１ｄ、１０１ｄにて撮像された操作または作業に関するデータをそれぞれ受信するデータ受信部９３ｅ、データ受信部９３ｅにて受信された操作または作業と、コンテンツデータ格納部９３ａに格納されている操作手順または作業手順とを比較する比較判定部９３ｆ、比較判定部９３ｆによる比較結果に基づいて操作または作業に関する警報を投影表示装置９１、１０１に通知する警報発生部９３ｇ、データ受信部９３ｅにて受信された操作または作業に関するデータに基づいて、コンテンツデータ格納部９３ａに格納されているコンテンツデータ９３ｂを更新するコンテンツデータ更新部９３ｊおよびコンテンツデータ格納部９３ａに格納されているコンテンツデータ９３ｂを識別情報９８ｂ、１０８ｂと対応させて管理する識別情報管理部７３ｈが設けられている。なお、識別情報管理部９３ｈにて管理されている識別情報９８ｂ、１０８ｂは、回路基板９５、１０５にそれぞれ記録されている識別情報９８ａ、１０８ａと対応させることができる。そして、投影表示装置９１、１０１とサーバ９３とは通信ネットワーク９２を介して接続されている。
【０１２６】
そして、利用者９４は、回路基板９５上に投影画像９６を表示させる場合、回路基板９５上に記録された識別情報９８ａを投影表示装置９１にて読み取る。そして、識別情報９８ａが投影表示装置９１にて読み取られると、通信ネットワーク９２を介して識別情報９８ａがサーバ９３に送信される。そして、サーバ９３が投影表示装置９１から識別情報９８ａを受信すると、識別情報管理部９３ｈは、その識別情報９８ａに対応したコンテンツデータ９３ｂを選択し、通信ネットワーク９２を介して投影表示装置９１に送信する。そして、投影表示装置９１は、回路基板９５に対応したコンテンツデータ９３ｂを取り込むと、投影表示装置９１は、回路基板９５に対応したコンテンツデータ９３ｂを投影部９１ａに投影させ、回路基板９５に対応した投影画像９６を回路基板９５上に実寸で表示させる。そして、利用者９４は、回路基板９５に設けられた電子部品９５ａを投影画像９６と照合することにより、回路基板９５に設けられた電子部品９５ａの実装を行うことができる。
【０１２７】
ここで、投影表示装置９１は、利用者９４による電子部品９５ａの実装状況を監視し、利用者９４による電子部品９５ａの実装状態を撮像部９１ｄにて撮像することができる。そして、各撮像部９１ｄは、電子部品９５ａの実装状態を撮像すると、通信ネットワーク９２を介してサーバ９３に送信することができる。そして、サーバ９３が、電子部品９５ａの実装状態に関するデータを投影表示装置９１から受信すると、コンテンツデータ更新部９３ｊは、電子部品９５ａの実装状態に関するデータに基づいて、コンテンツデータ格納部９３ａに格納されているコンテンツデータ９３ｂを更新することができる。
【０１２８】
また、利用者１０４は、回路基板１０５上に投影画像１０６を表示させる場合、回路基板１０５上に記録された識別情報１０８ａを投影表示装置１０１にて読み取る。そして、識別情報１０８ａが投影表示装置１０１にて読み取られると、通信ネットワーク９２を介して識別情報１０８ａがサーバ９３に送信される。そして、サーバ９３が投影表示装置１０１から識別情報９８ａを受信すると、識別情報管理部９３ｈは、その識別情報９８ａに対応したコンテンツデータ９３ｂを選択し、通信ネットワーク９２を介して投影表示装置１０１に送信する。
【０１２９】
ここで、コンテンツデータ格納部９３ａに格納されているコンテンツデータ９３ｂが更新されると、サーバ９３は、その更新されたコンテンツデータ９３ｂを投影表示装置１０１に送信することができる。そして、投影表示装置１０１は、更新されたコンテンツデータ３３ｂを取り込むと、投影表示装置１０１は、更新されたコンテンツデータ９３ｂを投影部１０１ａに投影させ、更新された投影画像１０６を回路基板１０５上に実寸で表示させる。そして、利用者１０４は、回路基板１０５に設けられた電子部品１０５ａを更新された投影画像１０６と照合することにより、回路基板１０５に設けられた電子部品１０５ａの実装を行うことができる。そして、撮像部１０１ｄは、電子部品１０５ａの実装状態を撮像すると、通信ネットワーク９２を介して電子部品１０５ａの実装状態に関するデータをサーバ９３に送信することができる。
【０１３０】
そして、サーバ９３が、電子部品１０５ａの実装状態に関するデータを投影表示装置１０１から受信すると、比較判定部９３ｆは、コンテンツデータ格納部９３ａに格納されている更新されたコンテンツデータ９３ｂと、電子部品１０５ａの実装状態に関するデータとを比較する。そして、比較判定部９３ｆは、更新されたコンテンツデータ９３ｂと、電子部品１０５ａの実装状態とが異なる場合、そのことを警報発生部９３ｇに通知する。そして、警報発生部９３ｇは、更新されたコンテンツデータ９３ｂと、電子部品１０５ａの実装状態とが異なるという通知を比較判定部９３ｆから受け取ると、電子部品１０５ａの実装に関する警報を発生させ、通信ネットワーク９２を介して投影表示装置１０１に送信する。そして、投影表示装置１０１は、電子部品１０５ａの実装に関する警報をサーバ９３から受け取ると、その警報を利用者１０４に通知する。そして、利用者１０４は、自分の作業に関する警報が通知されると、自分の作業を修正することにより、回路基板９５上での電子部品９５ａの実装手順を見習いながら、回路基板１０５上で電子部品１０５ａの実装を行うことができる。
【０１３１】
これにより、投影表示装置９１、１０１を実物に向けることで、その実物に対応したコンテンツデータ９３ｂを特定することが可能となり、サーバ９３は、利用者９４、１０４が必要とするコンテンツデータ９３ｂを自動的に選択して投影表示装置９１、１０１に配信することが可能となる。また、同一のコンテンツデータ９３ｂを複数の投影表示装置９１、１０１で共有しながら、電気、水道、ガスまたは通信などの公共設備や建築物に関する図面を現場で実寸で表示させたり、自分の製品を再現した画像を自分の製品に実寸で表示させたりすることが可能となるとともに、その場で実際に行われた操作や作業をコンテンツデータ９３ｂに反映させることが可能となり、回路基板９５、１０５が互いに遠くに離れていても、基板上の電子部品の状態を互いに常に一致させることが可能となる。
【０１３２】
このため、投影表示装置９１、１０１を現場に設置することで、電気、水道、ガスまたは通信などの公共設備や建築物に対応した図面を現場で実寸で表示させながら、測量や工事を進めたり、自分の製品を再現した画像を自分の製品に実寸で表示させながら、自分の製品についての操作や保守点検を行ったりすることが可能となるとともに、熟練工や専門家などの指導を遠隔から受けることが可能となる。
【０１３３】
一方、サーバ９３は、識別情報９８ａ、１０８ａに基づいてコンテンツデータ９３ｂの配信先の管理を行うことが可能となる。例えば、コンテンツデータを特定する固有の番号と、通番をなす枝番号とから識別情報を構成する。こうすることにより、同じコンテンツデータを特定する識別情報であっても、唯一の枝番号によって個々の利用者を区別できる。このため、コンテンツデータ９３ｂの配信に対する対価を確実に請求することが可能となる。それとともに、操作や作業に対する間違いの指摘を行うことで、自社の製品についての操作や保守点検に関する問い合わせを減らしたり、自社の製品に関する取扱説明書を簡略化したりすることが可能となり、自社の製品についての操作説明や保守点検にかかるコストを削減することが可能となる。
【０１３４】
図１４は、図１３の投影表示システムの処理の流れを示すシーケンス図である。
図１４において、コンテンツ提供者９７は、実物に対応した画像や図面などのコンテンツをサーバ９３に提供する（Ｋ１２１）。そして、コンテンツがサーバ９３に提供されると、サーバ９３は、そのコンテンツから今回の作業用に生成されたコンテンツデータ９３ｂをコンテンツデータ格納部９３ａに格納する。
【０１３５】
また、サーバ９３は、コンテンツが提供されると、そのコンテンツに対応したコンテンツデータ９３ｂに識別情報９８ｂ、１０８ｂを付与し、その識別情報９８ｂ、１０８ｂを利用者９４、１０４にそれぞれ通知する（Ｋ１２２、Ｋ１２４）。そして、利用者９４、１０４は、コンテンツデータ９３ｂに対応した識別情報９８ｂ、１０８ｂが通知されると、識別情報９８ｂ、１０８ｂにそれぞれ対応した識別情報９８ａ、１０８ａを回路基板９５，１０５上にそれぞれ設定することができる（Ｋ１２３、Ｋ１２５）。なお、予め識別情報を実物に設定しておくようにしてもよい。
【０１３６】
そして、利用者９４は、回路基板９５上に投影画像９６を表示させる場合、回路基板９５上に記録された識別情報９８ａを投影表示装置９１にて読み取る（Ｋ１２６）。そして、識別情報９８ａが投影表示装置９１にて読み取られると、通信ネットワーク９２を介して識別情報９８ａがサーバ９３に送信される（Ｋ１２７）。そして、サーバ９３が投影表示装置９１から識別情報９８ａを受信すると、識別情報管理部９３ｈは、その識別情報９８ａに対応したコンテンツデータ９３ｂを選択し、通信ネットワーク９２を介して投影表示装置９１に送信する（Ｋ１２８）。ここで、コンテンツデータ９３ｂが投影表示装置９１に送信されると、課金処理部９３ｄは、コンテンツデータ９３ｂの配信に対する課金を利用者９４に行うことができる（Ｋ１２９）。
【０１３７】
そして、投影表示装置９１は、サーバ９３からコンテンツデータ９３ｂの配信を受けると、そのコンテンツデータ９３ｂを投影表示装置９１内に保存し、そのコンテンツデータ９３ｂを回路基板９５上に実寸で投影する（Ｋ１３０）。そして、コンテンツデータ９３ｂが回路基板９５上に実寸で投影されると、電子部品９５ａを回路基板９５上に実装することができる（Ｋ１３１）。
【０１３８】
そして、利用者９４が回路基板９５上で電子部品９５ａの実装を行うと、撮像部９１ｄは、利用者９４による電子部品９５ａの実装状態を撮像し（Ｋ１３２）、通信ネットワーク９２を介して電子部品９５ａの実装状態をサーバ９３に送信する（Ｋ１３３）。そして、サーバ９３は、電子部品９５ａの実装状態に関するデータを投影表示装置９１から受信すると、コンテンツデータ更新部９３ｊは、電子部品９５ａの実装状態に関するデータに基づいて、コンテンツデータ格納部９３ａに格納されているコンテンツデータ９３ｂを更新する（Ｋ１３４）。
【０１３９】
一方、利用者１０４は、回路基板１０５上に投影画像１０６を表示させる場合、回路基板１０５上に記録された識別情報１０８ａを投影表示装置１０１にて読み取る（Ｋ１３５）。そして、識別情報１０８ａが投影表示装置１０１にて読み取られると、通信ネットワーク９２を介して識別情報１０８ａがサーバ９３に送信される（Ｋ１３６）。そして、サーバ９３が投影表示装置１０１から識別情報１０８ａを受信すると、識別情報管理部９３ｈは、その識別情報１０８ａに対応したコンテンツデータ９３ｂを選択し、通信ネットワーク９２を介して投影表示装置１０１に送信する（Ｋ１３７）。ここで、サーバ９３は、コンテンツデータ格納部９３ａに格納されているコンテンツデータ９３ｂが更新されると、その更新されたコンテンツデータ３３ｂを投影表示装置１０１に送信する。また、コンテンツデータ９３ｂが投影表示装置１０１に送信されると、課金処理部９３ｄは、コンテンツデータ９３ｂの配信に対する課金を利用者１０４に行うことができる（Ｋ１３８）。
【０１４０】
そして、投影表示装置１０１は、更新されたコンテンツデータ９３ｂを取り込むと、更新されたコンテンツデータ１０３ｂを投影部１０１ａに投影させ、更新された投影画像１０６を回路基板１０５上に実寸で表示させる（Ｋ１３９）。そして、利用者１０４は、回路基板１０５に設けられた電子部品１０５ａを更新された投影画像１０６と照合することにより、回路基板１０５上で電子部品１０５ａを実装することができる（Ｋ１４０）。
【０１４１】
そして、撮像部１０１ｄは、電子部品１０５ａの実装状態を撮像すると（Ｋ１４１）、通信ネットワーク９２を介して電子部品１０５ａの実装状態に関するデータをサーバ９３に送信する（Ｋ１４２）。そして、サーバ９３が、電子部品１０５ａの実装状態に関するデータを投影表示装置１０１から受信すると、比較判定部９３ｆは、コンテンツデータ格納部９３ａに格納されている更新されたコンテンツデータ９３ｂと、電子部品１０５ａの実装状態に関するデータとを比較する（Ｋ１４３）。そして、警報発生部９３ｇは、更新されたコンテンツデータ９３ｂと電子部品１０５ａの実装状態とが異なるという判定が比較判定部９３ｆにて行われると、電子部品１０５ａの実装に関する警報を発生させ、通信ネットワーク９２を介して投影表示装置１０１に送信する（Ｋ１４４）。
【０１４２】
そして、サーバ９３は、課金処理部９３ｄにて課金処理が行われると、コンテンツデータ９３ｂの配信に対する料金を利用者９４、１０４に請求する（Ｋ１４５、Ｋ１４８）。そして、利用者９４、１０４は、コンテンツデータ９３ｂの配信に対する料金が請求されると、サーバ９３を介してサービス提供者に料金の支払いを行うことができる（Ｋ１４６、Ｋ１４９）。そして、サーバ９３を介してサービス提供者に料金が支払われると、サービス提供者は、コンテンツの提供に対する対価をコンテンツ提供者９７に支払うことができる（Ｋ１４７、Ｋ１５０）。
【０１４３】
図１５は、本発明の第８実施形態に係る投影表示システムの概略構成を示すブロック図である。
図１５において、投影表示装置１１１には、レンズ１１１ｂを介してコンテンツデータ１１３ｂを壁面１１５上に実寸で投影する投影部１１１ａ、投影部１１１ａにて投影されるコンテンツデータ１１３ｂをサーバ１１３から受信するとともに、撮像部１１１ｄにて撮像された壁面１１５上の現在の状態に関するデータをサーバ１１３に送信する通信インターフェース１１１ｃおよび壁面１１５上の現在の状態を撮像する撮像部１１１ｄが設けられている。また、投影表示装置１１１の前面に設置された壁面１１５上には、利用者１１４を特定する識別情報１１８ａが記録されている。
【０１４４】
また、サーバ１１３には、撮像部１１１ｄにて撮像された壁面１１５上の現在の状態に関するコンテンツデータ１１３ｂを受信するデータ受信部１１３ｅ、データ受信部１１３ｅにて受信された壁面１１５上の現在の状態に関するコンテンツデータ１１３ｂを格納するコンテンツデータ格納部１１３ａ、コンテンツデータ格納部１１３ａに格納されているコンテンツデータ１１３ｂを投影表示装置１１１に送信するデータ送信部１１３ｃ、投影表示装置１１１へのコンテンツデータ１１３ｂの配信に対する課金処理を行う課金処理部１１３ｄ、コンテンツデータ格納部１１３ａに格納されているコンテンツデータ１１３ｂを識別情報１１８ｂと対応させて管理する識別情報管理部１１３ｈ、コンテンツデータ格納部１１３ａに格納されるコンテンツデータ１１３ｂの記録日時１１３ｊを管理する記録日時管理部１１３ｆおよびコンテンツデータ１１３ｂの原本性の認証を行う認証処理部１１３ｇが設けられている。
【０１４５】
また、識別情報管理部１１３ｈには別の識別情報１１３ｋが登録されるとともに、コンテンツデータ格納部１１３ａには、識別情報１１３ｋに対応したコンテンツデータ１１３ｉが格納されていてもよい。
なお、識別情報管理部１１３ｈにて管理されている識別情報１１８ｂは、投影表示面１１５上にそれぞれ記録されている識別情報１１８ａと対応させることができる。そして、投影表示装置１１１とサーバ１１３とは通信ネットワーク１１２を介して接続されている。
【０１４６】
そして、利用者１１４は、壁面１１５上に原図１１６を描いた場合、壁面１１５上の原図１１６を撮像部１１１ｄにて撮像するとともに、識別情報１１８ａを投影表示装置１１１にて読み取らせることができる。そして、撮像部１１１ｄが壁面１１５上の原図１１６を撮像するとともに、投影表示装置１１１が識別情報１１８ａを読み取ると、通信ネットワーク１１２を介して原図１１６および識別情報１１８ａをサーバ１１３に送信することができる。そして、サーバ１１３は、原図１１６を識別情報１１８ａとともに投影表示装置１１１から受信すると、その原図１１６に対応するコンテンツデータ１１３ｂを識別情報１１８ｂと対応させて、記録日時１１３ｊとともにコンテンツデータ格納部１１３ａに格納する。
【０１４７】
そして、利用者１１４は、原図１１６に対応するコンテンツデータ１１３ｂを壁面１１５上に表示させる場合、壁面１１５上に記録された識別情報１１８ａを投影表示装置１１１にて読み取る。そして、識別情報１１８ａが投影表示装置１１１にて読み取られると、通信ネットワーク１１２を介して識別情報１１８ａがサーバ１１３に送信される。そして、サーバ１１３が投影表示装置１１１から識別情報１１８ａを受信すると、識別情報管理部１１３ｈは、その識別情報１１８ａに対応したコンテンツデータ１１３ｂを選択し、通信ネットワーク１１２を介して投影表示装置１１１に送信する。そして、投影表示装置１１１は、識別情報１１８ａで特定されるコンテンツデータ１１３ｂを取り込むと、投影表示装置１１１は、識別情報１１８ａで特定されるコンテンツデータ１１３ｂを投影部１１１ａに投影させ、原図１１６に対応したコンテンツデータ１１３ｂを壁面１１５上に実寸で表示させる。また、サーバ１１３は、コンテンツデータ１１３ｂを投影表示装置１１１に配信する際に、コンテンツデータ１１３ｂが記録日時１１３ｊで特定される原図１１６と相違のないことを認証することができる。
【０１４８】
これにより、壁面１１５上の現在の状態が記録日時１１３ｊで特定される日時に壁面１１５上に描かれた原図１１６の状態と相違する場合においても、コンテンツデータ１１３ｂに基づいて元の状態を復元することができる。
なお、原図１１６が描かれた壁面１１５上に参照基準点を設け、投影表示装置１１１は、この参照基準点を原図１１６とともにサーバ１１３に送信するようにしてもよい。そして、サーバ１１３は、この参照基準点を原図１１６とともに投影表示装置１１１から受信すると、原図１１６とともに参照基準点をコンテンツデータ格納部１１３ａに格納することができる。そして、サーバ１１３は、原図１１６に対応したコンテンツデータ１１３ｂを投影表示装置１１１に配信する際に、参照基準点を投影表示装置１１１に配信することができる。これにより、参照基準点を基準として、原図１１６とコンテンツデータ１１３との位置合わせを行うことができ、コンテンツデータ１１３を原図１１６上に精度よく重ねて投影させることができる。
【０１４９】
図１６は、本発明の第９実施形態に係る投影表示システムの概略構成を示すブロック図である。
図１６において、投影表示装置１２１には、レンズ１２１ｂを介してコンテンツデータ１２３ｂを本棚１２５上に実寸で投影する投影部１２１ａ、投影部１２１ａにて投影されるコンテンツデータ１２３ｂをサーバ１２３から受信するとともに、撮像部１２１ｄにて撮像された本棚１２５の現在の状態に関するデータをサーバ１２３に送信する通信インターフェース１２１ｃおよび本棚１２５の現在の状態を撮像する撮像部１２１ｄが設けられている。また、投影表示装置１２１の前面に設置された本棚１２５には、利用者１２４を特定する識別情報１２８を記録することができる。
【０１５０】
また、サーバ１２３には、撮像部１２１ｄにて撮像された本棚１２５の現在の状態に関するコンテンツデータ１２３ｂを受信するデータ受信部１２３ｅ、データ受信部１２３ｅにて受信された本棚１２５上の現在の状態に関するコンテンツデータ１２３ｂを格納するコンテンツデータ格納部１２３ａ、コンテンツデータ格納部１２３ａに格納されているコンテンツデータ１２３ｂを投影表示装置１２１に送信するデータ送信部１２３ｃ、投影表示装置１２１へのコンテンツデータ１２３ｂの配信に対する課金処理を行う課金処理部１２３ｄ、コンテンツデータ格納部１２３ａに格納されているコンテンツデータ１２３ｂを識別情報１２８と対応させて管理する識別情報管理部１２３ｈ、コンテンツデータ格納部１２３ａに格納されるコンテンツデータ１２３ｂの記録日時を管理する記録日時管理部１２３ｆおよびコンテンツデータ１２３ｂの原本性の認証を行う認証処理部１２３ｇが設けられている。そして、投影表示装置１２１とサーバ１２３とは通信ネットワーク１２２を介して接続されている。
【０１５１】
そして、利用者１２４は、例えば、引越しを行う場合、本棚１２５の書籍１２５ａの配列を撮像部１２１ｄにて撮像するとともに、本棚１２５に付されている識別情報１２８を投影表示装置１２１にて読み取らせることができる。そして、撮像部１２１ｄが本棚１２５の書籍１２５ａの配列を撮像するとともに、投影表示装置１２１が本棚１２５に付されている識別情報１２８を読み取ると、通信ネットワーク１２２を介して本棚１２５の書籍１２５ａの配列状態および識別情報１２８をサーバ１２３に送信することができる。そして、サーバ１２３は、本棚１２５の書籍１２５ａの配列状態を識別情報１２８とともに投影表示装置１２１から受信すると、その本棚１２５の書籍１２５ａの配列状態に対応するコンテンツデータ１２３ｂを識別情報１２８と対応させて、記録日時とともにコンテンツデータ格納部１２３ａに格納する。
【０１５２】
そして、利用者１２４は、引越し先にて本棚１２５の書籍１２５ａの配列に対応するコンテンツデータ１１３ｂを本棚１２５に表示させる場合、本棚１２５に付された識別情報１２８を投影表示装置１２１にて読み取る。そして、本棚１２５に付された識別情報１２８が投影表示装置１２１にて読み取られると、通信ネットワーク１２２を介して識別情報１２８がサーバ１２３に送信される。そして、サーバ１２３が投影表示装置１２１から識別情報１２８を受信すると、識別情報管理部１２３ｈは、その識別情報１２８に対応したコンテンツデータ１２３ｂを選択し、通信ネットワーク１２２を介して投影表示装置１２１に送信する。そして、投影表示装置１２１は、本棚１２５に付された識別情報１２８で特定されるコンテンツデータ１２３ｂを取り込むと、その識別情報１２８で特定されるコンテンツデータ１２３ｂを投影部１２１ａに投影させ、本棚１２５の書籍１２５ａの配列に対応したコンテンツデータ１２３ｂを本棚１２５に実寸で表示させる。また、サーバ１２３は、コンテンツデータ１２３ｂを投影表示装置１２１に配信する際に、コンテンツデータ１２３ｂが記録日時で特定される本棚１２５の書籍１２５ａの配列と相違のないことを認証することができる。
これにより、引越しをするために、本棚１２５から書籍１２５ａを取り出した場合においても、本棚１２５の書籍１２５ａを元通りに配列することが可能となる。
【０１５３】
図１７は、図１６の投影表示システムの処理の流れを示すシーケンス図である。
図１７において、利用者１２４は、一連の作業の中間の時点または一連の作業が完了した時点において、その作業の現在の状態を撮像部１２１ｄにて撮像する（Ｋ１６１）。そして、撮像部１２１ｄが現在の作業の状態を撮像すると、投影表示装置１２１は、通信ネットワーク１２２を介して、利用者１２４を特定する識別情報１２８とともに、現在の作業の状態に関するデータをサーバ１２３に送信する（Ｋ１６２）。
【０１５４】
そして、サーバ１２３は、現在の作業の状態を識別情報１２８とともに投影表示装置１２１から受信すると、現在の作業の状態に対応するコンテンツデータ１２３ｂを識別情報１２８と対応させて、記録日時とともにコンテンツデータ格納部１２３ａに格納する（Ｋ１６３）。
そして、利用者１２４は、過去の作業の状態に関する投影画像を表示させる場合、通信ネットワーク１２２を介して、利用者１２４を特定する識別情報１２８をサーバ１２３に送信する。そして、サーバ１２３が利用者１２４を特定する識別情報１２８を受信すると、識別情報管理部１２３ｈは、その識別情報１２８に対応したコンテンツデータ１２３ｂを選択し、通信ネットワーク１２２を介して投影表示装置１２１に送信する（Ｋ１６４）。
【０１５５】
ここで、コンテンツデータ１２３ｂが投影表示装置１２１に送信されると、課金処理部１２３ｄは、コンテンツデータ１２３ｂの配信に対する課金を利用者１２４に行うことができる（Ｋ１６５）。そして、投影表示装置１２１は、サーバ１２３からコンテンツデータ１２３ｂの配信を受けると、そのコンテンツデータ１２３ｂを投影表示装置１２１内に保存し、そのコンテンツデータ１２３ｂを実寸で投影する（Ｋ１６６）。そして、コンテンツデータ１２３ｂが実寸で投影されると、そのコンテンツデータ１２３ｂに従って作業／操作などを行うことができる（Ｋ１６７）。
【０１５６】
そして、利用者１２４が作業／操作などを行うと、撮像部１２１ｄは、利用者１２４による作業または操作状態を撮像し（Ｋ１６８）、通信ネットワーク２２を介して利用者１２４による作業または操作状態をサーバ２３に送信する（Ｋ１６９）。そして、サーバ１２３は、利用者１２４による作業または操作状態に関するデータを投影表示装置１２１から受信すると、コンテンツデータ格納部１２３ａに格納されているコンテンツデータ１２３ｂと、利用者１２４による作業または操作状態に関するデータとを比較する（Ｋ１７０）。そして、サーバ１２３は、コンテンツデータ１２３ｂで示される過去の作業または操作状態と利用者１２４が行った現在の作業または操作状態とが異なる場合、通信ネットワーク１２２を介して投影表示装置１２１に警報を送信する（Ｋ１７１）。
【０１５７】
そして、サーバ１２３は、課金処理部１２３ｄにて課金処理が行われると、コンテンツデータ１２３ｂの配信および認証に対する料金を利用者１２４に請求する（Ｋ１７２）。そして、利用者１２４は、コンテンツデータ１２３ｂの配信および認証に対する料金が請求されると、サーバ１２３を介してサービス提供者に料金の支払いを行うことができる（Ｋ１７３）。
【０１５８】
これにより、実物の過去の状態をサーバ１２３で管理することが可能となるとともに、その実物の過去の状態を現在の状態と照合しながら、建築物に対する作業や物品の配置などを行うことが可能となり、実際の現場で作業を行った後の現状の復元を容易に行うことが可能となる。また、サーバ１２３は、任意の時点における作業状態を保管することで、任意の時点における作業状態の原本性を保証することが可能となるとともに、コンテンツデータ１２３ｂの認証に対する対価を請求することが可能となる。
【０１５９】
図１８は、図１から図１７の投影表示システムに用いられる投影表示装置の構成例を示すブロック図である。
図１８において、投影表示装置２１０には、投影表示面２２０に投影される原図画像を記憶する原図記憶部２０１、描画面２０３に形成された描画画像を投影表示面２２０に投影する投影部２１２、描画面２０３に投影光を照射する点光源２０４、投影部２１２にて投影された投影画像を反射するとともに、レンズ２０６を介して入射した光を透過させるハーフミラー２０５、点光源２０４から出射された光を集光させるレンズ２０６、撮像面２０７に形成された撮像画像を撮像する撮像部２７１、通信ネットワークを介して送信された原図画像を受信する通信インターフェース２１１および投影表示装置２１０に提供される原図画像を選択するコンテンツ選択部２１３が設けられている。なお、原図記憶部２０１は、例えば、ＤＲＡＭやＥＥＰＲＯＭなどの半導体記憶装置で構成することができ、投影部２１２は、例えば、透過型液晶パネルなどで構成することができ、撮像部２７１は、例えば、ＣＣＤやＣＭＯＳセンサなどの固体撮像素子で構成することができる。ここで、投影表示面２２０には、投影表示面２２０上の特定の位置を識別するための参照基準点を設けることができる。また、原図画像としては、絵画や写真などの静止画像および動画像、広告ポスター、商品カタログおよびニュースなどの静止画像および動画像、文庫本、辞典、雑誌、地図および新聞などの静止画像および動画像、電気、水道、ガスまたは通信などの公共設備に関する図面、建築物、土木、設備、配管および防災機器などに関する図面を挙げることができる。
【０１６０】
図１９は、図１８の投影表示面２２０の構成例を示す平面図である。
図１９において、投影表示面２２０には、参照基準点２２０ａ〜２２０ｃが記録されている。ここで、参照基準点２２０ａ〜２２０ｃは一直線上にないように配置され、例えば、参照基準点２２０ａは投影表示面２２０の左下、参照基準点２２０ｂは投影表示面２２０の右下、参照基準点２２０ｃは投影表示面２２０の左上に配置することができる。また、参照基準点２２０ａ〜２２０ｃは互いに区別できるように設定され、例えば、○、□、△などの固有の識別マークを用いることができる。
【０１６１】
また、図１８において、投影表示装置２１０には、投影表示面２２０上の点と撮像面２０７上の点との間の距離を測定する距離測定部２０８、投影表示面２２０に設けられた参照基準点２２０ａ〜２２０ｃを検出するマーク検出部２０９および参照基準点２２０ａ〜２２０ｃに対応して原図画像に設けられた基準点が参照基準点２２０ａ〜２２０ｃの位置に一致するように原図画像を描画画像に変換する描画制御部２０２が設けられている。ここで、描画制御部２０２は、原図画像に設けられた基準点が参照基準点２２０ａ〜２２０ｃの位置に一致するように原図画像を描画画像に変換する場合、距離測定部２０８およびマーク検出部２０９にてそれぞれ測定された参照基準点２２０ａ〜２２０ｃの距離情報および位置情報を用いることができる。
【０１６２】
なお、距離測定部２０８は、例えば、赤外線発信機、赤外線センサおよびカウンタで構成することができ、マーク検出部２０９は、例えば、識別マークの識別コードおよびドットパターンの組を格納したマークメモリおよびドット比較器で構成することができ、描画制御部２０２、例えば、マイクロプロセッサなどで構成することができる。
さらに、投影表示装置２１０には、朱入れ指示部２３２にて指示された投影表示面２２０上の朱入れ位置を記憶する朱入れ記憶部２３０および朱入れ記憶部２３０への朱入れ位置の書き込み制御を行う朱入れ制御部２３１が設けられている。
【０１６３】
そして、投影表示面２２０に原図画像２２１を投影させる場合、コンテンツ選択部２１３にて所望の原図画像２２１を選択する。ここで、原図画像２２１の選択方法としては、例えば、原図画像２２１の種類の一覧を投影表示装置２１０に提示し、提示された原図画像２２１の中から所望の原図画像２２１を指定することができる。
そして、コンテンツ選択部２１３にて原図画像２２１が選択されると、通信ネットワークを介して送信された原図画像を通信インターフェース２１１にて受信し、原図記憶部２０１に記憶する。そして、原図画像が原図記憶部２０１に記憶されると、描画制御部２０２は、原図記憶部２０１から原図画像を取り込むとともに、距離測定部２０８およびマーク検出部２０９に参照基準点２２０ａ〜２２０ｃの距離情報および位置情報をそれぞれ計測させる。
【０１６４】
すなわち、描画制御部２０２は、マーク検出部２０９に参照基準点２２０ａ〜２２０ｃの位置情報を計測させる場合、撮像部２７１に参照基準点２２０ａ〜２２０ｃを撮像させる。そして、参照基準点２２０ａ〜２２０ｃが撮像部２７１にて撮像されると、マーク検出部２０９は撮像面２０７の撮像画像をスキャンし、撮像画像の（ｘ、ｙ）の位置にあるドットを順次読み出す。そして、読み出した所定範囲のドットパターンと識別マークのドットパターンとを比較し、それらが一致すると、撮像画像の（ｘ、ｙ）の位置を参照基準点２２０ａ〜２２０ｃの位置情報として出力する。
【０１６５】
そして、マーク検出部２０９にて参照基準点２２０ａ〜２２０ｃの位置情報が計測されると、距離測定部２０８は、投影表示面２２０上の投影点とその投影点に対応する撮像面２０７上の撮像点との間の距離を計測し、計測した各参照基準点２２０ａ〜２２０ｃまでの距離を距離情報として出力する。ここで、各参照基準点２２０ａ〜２２０ｃまでの距離を計測する場合、距離測定部２０８は、赤外線発信機からパルス状の赤外線を発射させることができる。そして、そのパルス状の赤外線を投影表示面２２０上で反射させ、描画面２０３と等しい光学距離に設定された撮像面２０７内の識別マークの位置に戻ってくるまでの時間をカウンタで計数させることができる。
【０１６６】
そして、描画制御部２０２は、距離測定部２０８およびマーク検出部２０９にて参照基準点２２０ａ〜２２０ｃの距離情報および位置情報がそれぞれ計測させると、参照基準点２２０ａ〜２２０ｃの距離情報および位置情報に基づいて、原図画像に設けられた基準点が参照基準点２２０ａ〜２２０ｃの位置に一致するように原図画像を描画画像に変換する。
【０１６７】
そして、描画制御部２０２は、原図画像を描画画像に変換すると、その描画画像を投影部２１２に出力することにより、描画画像を描画面２０３に描画させる。そして、描画画像が描画面２０３に描画されると、点光源２０４から出射された光を描画面２０３に入射させ、描画面２０３を透過した投影光をハーフミラー２０５にて反射させて、レンズ２０６を介して投影表示面２２０上に投影光を投影させる。
【０１６８】
また、朱入れ指示部２３２にて投影表示面２２０上で朱入れが行われた場合、朱入れ制御部２３１は、朱入れ指示部２３２が投影表示面２２０上に接しているかどうかを判定する。そして、朱入れ指示部２３２が投影表示面２２０上に接している場合、朱入れ制御部２３１は、朱入れ指示部２３２にて指示された投影表示面２２０上の朱入れ位置を朱入れ記憶部２３０に記憶させる。
【０１６９】
なお、朱入れ指示部２３２には、投影表示面２２０上に接触させて指示点の位置を示す接触子が設けられている。ここで、接触子としては、例えば、ペンの形をしたものを用いることができ、その先端に指示点の位置を示すための識別マークを設けることができる。そして、朱入れ指示部２３２に設けられた識別マークをマーク検出部２０９に認識させることにより、朱入れ指示部２３２で指示された指示点の位置を判別することができる。
【０１７０】
図２０は、図１８の投影表示装置の投影表示面および原図画像の座標系を示す図である。
図２０において、原図画像２２１、投影表示面２２０、点光源２０４、撮像焦点２０４´、描画面２０３および撮像面２０７がＸＹＺ座標系に設定されている。すなわち、点光源２０４および撮像焦点２０４´を原点（０，０，０）にとり、点光源２０４および撮像時の光軸の方向をＺ軸とする。また、描画面２０３および撮像面２０７をＺ軸に直交するようにして（０，０、ｆ）点で交わるように設定する。ただし、ｆは焦点距離である。また、原図画像２２１は、左下を原点（０，０，０）にとり、下辺および左辺がそれぞれＸ軸およびＹ軸に一致するように設定する。なお、以下の説明では、原図画像２２１の右下および左上の座標をそれぞれ（１，０，０）点および（０，１，０）点にとる。
【０１７１】
なお、この座標系では、コンテンツの横幅および縦幅をそれぞれＸ軸およびＹ軸の単位（長さ＝１）となるように、座標の倍率が設定される。ただし、定数を掛けることにより座標の倍率は任意に設定することができるので、コンテンツの横幅および縦幅をそれぞれＸ軸およびＹ軸の単位となるように座標の倍率を設定しても、一般性を確保することができる。
【０１７２】
ここで、原図画像２２１を実寸で投影表示面２２０に投影画像として表示させた場合、原図画像２２１内の任意の点（ｘ´，ｙ´，ｚ´）に対応する投影表示面上の点を（Ｘ，Ｙ，Ｚ）とすると、以下の（１）式が成立する。なお、この関係は、アフィン変換と呼ばれる。
Ｘ＝ａ1ｘ´＋ｂ1ｙ´＋ｃ1ｚ´＋ｄ1
Ｙ＝ａ2ｘ´＋ｂ2ｙ´＋ｃ2ｚ´＋ｄ2
Ｚ＝ａ3ｘ´＋ｂ3ｙ´＋ｃ3ｚ´＋ｄ3
・・・（１）
【０１７３】
また、原図画像２２１は、Ｘ−Ｙ平面に置かれているので、常にＺ＝０である。このため、上述した（１）式は、以下の（２）式で示すように簡略化することができる。
Ｘ＝ａ1ｘ´＋ｂ1ｙ´＋ｄ1
Ｙ＝ａ2ｘ´＋ｂ2ｙ´＋ｄ2
Ｚ＝ａ3ｘ´＋ｂ3ｙ´＋ｄ3
・・・（２）
【０１７４】
ここで、（２）式に含まれる９個の係数（ａ1，ａ2，ａ3，ｂ1，ｂ2，ｂ3，ｄ1，ｄ2，ｄ3）は、以下のようにして決定することができる。すなわち、投影表示面２２０に設定された参照基準点２２０ａ〜２２０ｃに対応して原図画像２２１に設定される３個の基準点は、それぞれ以下のようになる。
第１の基準点（ｘ´，ｙ´，ｚ´）＝（０，０，０）
第２の基準点（ｘ´，ｙ´，ｚ´）＝（１，０，０）
第３の基準点（ｘ´，ｙ´，ｚ´）＝（０，１，０）
【０１７５】
また、投影表示面２２０上の投影画像において、これらの３個の基準点に対応する投影点の座標はそれぞれ以下のようになる。
第１の基準点の投影点（Ｘ，Ｙ，Ｚ）＝（Ｘ1，Ｙ1，Ｚ1）
第２の基準点の投影点（Ｘ，Ｙ，Ｚ）＝（Ｘ2，Ｙ2，Ｚ2）
第３の基準点の投影点（Ｘ，Ｙ，Ｚ）＝（Ｘ3，Ｙ3，Ｚ3）
【０１７６】
ここで、各基準点の３個の投影点（Ｘ1，Ｙ1，Ｚ1）、（Ｘ2，Ｙ2，Ｚ2）、（Ｘ3，Ｙ3，Ｚ3）の座標が与えられれば、３個の基準点および各基準点の投影点に関する座標の値を（２）式に代入することにより、以下の（３）式に示すように、９元の連立方程式を得ることができる。
Ｘ1＝ｄ1
Ｙ1＝ｄ2
Ｚ1＝ｄ3
Ｘ2＝ａ1＋ｄ1
Ｙ2＝ａ2＋ｄ2
Ｚ2＝ａ3＋ｄ3
Ｘ3＝ｂ1＋ｄ1
Ｙ3＝ｂ2＋ｄ2
Ｚ3＝ｂ3＋ｄ3
・・・（３）
【０１７７】
そして、（３）式の連立方程式を解くことにより、以下の（４）式に示すように、（２）式に含まれる９個の係数（ａ1，ａ2，ａ3，ｂ1，ｂ2，ｂ3，ｄ1，ｄ2，ｄ3）を全て求めることができる。
ａ1＝Ｘ2−Ｘ1
ａ2＝Ｙ2−Ｙ1
ａ3＝Ｚ2−Ｚ1
ｂ1＝Ｘ3−Ｘ1
ｂ2＝Ｙ3−Ｙ1
ｂ3＝Ｚ3−Ｚ1
ｄ1＝Ｘ1
ｄ2＝Ｙ1
ｄ3＝Ｚ1
・・・（４）
【０１７８】
また、各基準点の３個の投影点（Ｘ1，Ｙ1，Ｚ1）、（Ｘ2，Ｙ2，Ｚ2）、（Ｘ3，Ｙ3，Ｚ3）の座標は、以下のように求めることができる。すなわち、投影表示面２２０上を撮像すると、投影表示面２２０上に設定されている参照基準点２２０ａ〜２２０ｃを撮像することができる。このとき、投影表示面２２０上に設定されている参照基準点２２０ａ〜２２０ｃの位置は、各基準点に対応する各投影点の座標に一致させることができる。このため、図１８のマーク検出器２０９にて撮像面２０７上の各参照基準点２２０ａ〜２２０ｃが持つ固有の識別マークを識別することにより、各参照基準点２２０ａ〜２２０ｃに対応する撮像面２０７上の各点の座標を求める。ここで、撮像面２０７上の各点の座標を以下のように設定する。
第１の参照基準点の撮像点（ｘ，ｙ，ｚ）＝（ｘ1，ｙ1，ｆ）
第２の参照基準点の撮像点（ｘ，ｙ，ｚ）＝（ｘ2，ｙ2，ｆ）
第３の参照基準点の撮像点（ｘ，ｙ，ｚ）＝（ｘ3，ｙ3，ｆ）
【０１７９】
同時に、図１８の距離測定部２０８にて各参照基準点２２０ａ〜２２０ｃから撮像焦点２０４´までの距離を直接計測する。そして、計測されたこれらの点までの距離を以下のように設定する。
第１の参照基準点までの距離Ｄ＝Ｄ１
第２の参照基準点までの距離Ｄ＝Ｄ２
第３の参照基準点までの距離Ｄ＝Ｄ３
【０１８０】
そして、三角形の相似関係を用いることにより、各参照基準点２２０ａ〜２２０ｃの投影点の座標と距離Ｄとの間には、以下の（５）式に示すような関係を得ることができる。
Ｘ1＝Ｄ1／ｆ・ｘ1
Ｙ1＝Ｄ1／ｆ・ｙ1
Ｚ1＝Ｄ1
Ｘ2＝Ｄ2／ｆ・ｘ2
Ｙ2＝Ｄ2／ｆ・ｙ2
Ｚ2＝Ｄ2
Ｘ3＝Ｄ3／ｆ・ｘ3
Ｙ3＝Ｄ3／ｆ・ｙ3
Ｚ3＝Ｄ3
・・・（５）
【０１８１】
そして、各基準点の３個の投影点（Ｘ1，Ｙ1，Ｚ1）、（Ｘ2，Ｙ2，Ｚ2）、（Ｘ3，Ｙ3，Ｚ3）の座標が求まると、以下の（６）式に示すように、（２）式に含まれる９個の係数（ａ1，ａ2，ａ3，ｂ1，ｂ2，ｂ3，ｄ1，ｄ2，ｄ3）を全て求めることができる。
ａ1＝Ｄ2／ｆ・ｘ2−Ｄ1／ｆ・ｘ1
ａ2＝Ｄ2／ｆ・ｙ2−Ｄ1／ｆ・ｙ1
ａ3＝Ｄ2−Ｄ1
ｂ1＝Ｄ3／ｆ・ｘ3−Ｄ1／ｆ・ｘ1
ｂ2＝Ｄ3／ｆ・ｙ3−Ｄ1／ｆ・ｙ1
ｂ3＝Ｄ3−Ｄ1
ｄ1＝Ｄ1／ｆ・ｘ1
ｄ2＝Ｄ1／ｆ・ｙ1
ｄ3＝Ｄ1
・・・（６）
これにより、原図画像２２１内の点（ｘ´，ｙ´）は、（２）式および（６）式で計算される投影表示面２２０上の投影点（Ｘ，Ｙ，Ｚ）に投影することができる。
【０１８２】
そして、投影表示面２２０上の投影点（Ｘ，Ｙ，Ｚ）に投影するために、描画面２０３に描画される描画点の座標を（ｘ、ｙ、ｆ）とすると、以下の（７）式の関係が成立する。
ｘ＝ｆ／Ｚ・Ｘ
ｙ＝ｆ／Ｚ・Ｙ
・・・（７）
【０１８３】
そして、原図画像２２１内の任意の点（ｘ´，ｙ´）を投影表示面２２０上に正確に投影するためには、描画面２０３に描画される描画点の座標（ｘ、ｙ、ｆ）は、（２）式および（７）式を用いることにより、以下の（８）式に示すように求めることができる。
ｘ＝（ａ1ｘ´＋ｂ1ｙ´＋ｄ1）／（ａ3ｘ´＋ｂ3ｙ´＋ｄ3）・ｆ
ｙ＝（ａ2ｘ´＋ｂ2ｙ´＋ｄ2）／（ａ3ｘ´＋ｂ3ｙ´＋ｄ3）・ｆ
・・・（８）
【０１８４】
図２１は、図１８の投影表示装置の描画情報生成動作を示すフローチャートである。
図２１において、図１８の描画制御部２０２は、投影表示面２２０上の各参照基準点２２０ａ〜２２０ｃの撮像面２０７での位置情報（ｘ、ｙ）をマーク検出部２０９から読み込む（ステップＳ１）。また、描画制御部２０２は、距離測定部２０８にて計測された各参照基準点２２０ａ〜２２０ｃから撮像焦点２０４´までの距離Ｄを読み込む（ステップＳ２）。
【０１８５】
そして、各参照基準点２２０ａ〜２２０ｃの撮像面２０７での位置情報（ｘ、ｙ）および各参照基準点２２０ａ〜２２０ｃから撮像焦点２０４´までの距離Ｄを（６）式に代入することにより、（２）式に含まれる９個の係数（ａ1，ａ2，ａ3，ｂ1，ｂ2，ｂ3，ｄ1，ｄ2，ｄ3）を求める（ステップＳ３）。
そして、原図記憶部２０１に記憶された原図画像２２１内の全ての点（ｘ´，ｙ´）について処理が終了していない場合（ステップＳ４）、原図画像２２１内の点（ｘ´，ｙ´）を（８）式に代入することにより、描画面２０３内の描画点の座標（ｘ、ｙ）を算出し、描画メモリに記憶する（ステップＳ５）。また、原図記憶部２０１に記憶されている原図画像２２１内の点（ｘ´，ｙ´）の輝度情報または色情報を読み出し、描画面２０３内の描画点の座標（ｘ、ｙ）に対応させて描画メモリに記憶する（ステップＳ６）。
【０１８６】
そして、原図記憶部２０１に記憶された原図画像２２１内の全ての点（ｘ´，ｙ´）について処理が終了すると、描画制御部２０２は、描画メモリに記憶された描画情報を投影部２１２に出力し、描画面２０３に描画情報を表示させる（ステップＳ７）。そして、予め設定された所定時間だけ待機した後、ステップＳ１に戻って以上の処理を繰り返す（ステップＳ８）。
【０１８７】
これにより、投影表示面２２０に対する投影表示装置２１０の傾きに対応して投影画像を補正することが可能となり、投影表示装置２１０が投影表示面２２０に対して傾いて設置された場合においても、投影画像を実物に精度よく重ね合わせることが可能となる。このため、投影表示面２２０に対する投影表示装置２１０の位置合わせにかかる手間を省くことが可能となり、様々の環境において、投影画像を実物と照合しながら、実物の操作や作業を行うことができる。
【図面の簡単な説明】
【０１８８】
【図１】本発明の第１実施形態に係る投影表示システムの概略構成を示すブロック図である。
【図２】図１の投影表示システムの処理の流れを示すシーケンス図である。
【図３】本発明の第２実施形態に係る投影表示システムの概略構成を示すブロック図である。
【図４】図３の投影表示システムの処理の流れを示すシーケンス図である。
【図５】本発明の第３実施形態に係る投影表示システムの概略構成を示すブロック図である。
【図６】図５の投影表示システムの処理の流れを示すシーケンス図である。
【図７】本発明の第４実施形態に係る投影表示システムの概略構成を示すブロック図である。
【図８】図７の投影表示システムの処理の流れを示すシーケンス図である。
【図９】本発明の第５実施形態に係る投影表示システムの概略構成を示すブロック図である。
【図１０】図９の投影表示システムの処理の流れを示すシーケンス図である。
【図１１】本発明の第６実施形態に係る投影表示システムの概略構成を示すブロック図である。
【図１２】図１１の投影表示システムの処理の流れを示すシーケンス図である。
【図１３】本発明の第７実施形態に係る投影表示システムの概略構成を示すブロック図である。
【図１４】図１３の投影表示システムの処理の流れを示すシーケンス図である。
【図１５】本発明の第８実施形態に係る投影表示システムの概略構成を示すブロック図である。
【図１６】本発明の第９実施形態に係る投影表示システムの概略構成を示すブロック図である。
【図１７】図１６の投影表示システムの処理の流れを示すシーケンス図である。
【図１８】図１から図１７の投影表示システムに用いられる投影表示装置の構成例を示すブロック図である。
【図１９】図１８の投影表示装置の投影表示面の構成例を示す平面図である。
【図２０】図１８の投影表示装置の投影表示面および原図画像の座標系を示す図である。
【図２１】図１８の投影表示装置の描画情報生成動作を示すフローチャートである。
【符号の説明】
【０１８９】
１、１１、２１、３１、４１、５１、６１、７１、８１、９１、１０１、１１１、１２１、２１０  投影表示装置
１ａ、１１ａ、２１ａ、３１ａ、４１ａ、５１ａ、６１ａ、７１ａ、８１ａ、９１ａ、１０１ａ、１１１ａ、１２１ａ、２１２  投影部
１ｂ、１１ｂ、２１ｂ、３１ｂ、４１ｂ、５１ｂ、６１ｂ、７１ｂ、８１ｂ、９１ｂ、１０１ｂ、１１１ｂ、１２１ｂ  レンズ
１ｃ、１１ｃ、２１ｃ、３１ｃ、４１ｃ、５１ｃ、６１ｃ、７１ｃ、８１ｃ、９１ｃ、１０１ｃ、１１１ｃ、１２１ｃ  通信インターフェース
１１ｄ、２１ｄ、３１ｄ、４１ｄ、７１ｄ、８１ｄ、９１ｄ、１０１ｄ、１１１ｄ、１２１ｄ、２７１  撮像部
２、１２、２２、３２、５２、７２、９２、１１２、１２２  通信ネットワーク
３、１３、２３、３３、５３、７３、９３、１１３、１２３  サーバ
３ａ、１３ａ、２３ａ、３３ａ、５３ａ、７３ａ、９３ａ、１１３ａ、１２３ａ  コンテンツデータ格納部
３ｂ、１３ｂ、２３ｂ、３３ｂ、５３ｂ、６３ｂ、７３ｂ、８３ｂ、９３ｂ、１１３ｂ、１１３ｉ、１２３ｂ  コンテンツデータ
３ｃ、１３ｃ、２３ｃ、３３ｃ、５３ｃ、７３ｃ、９３ｃ、１１３ｃ、１２３ｃ  データ送信部
３ｄ、１３ｄ、２３ｄ、３３ｄ、５３ｄ、７３ｄ、９３ｄ、１１３ｄ、１２３ｄ  課金処理部
４、１４、２４、３４、４４、５４、６４、７４、８４、９４、１０４、１１４、１２４  利用者
５  配線基板
５ａ  配線パターン
６、１６、２６、３６、４６、５６、６６、７６、８６、９６、１０６、１２６  投影画像
７、１７、２７、３７、５７、７７、９７  コンテンツ提供者
１３ｅ、２３ｅ、３３ｅ、５３ｅ、７３ｅ、９３ｅ、１１３ｅ、１２３ｅ  データ受信部
１３ｆ  朱入管理部
１８  朱入部
１５  家
１５ａ  サッシ
２０、５５、６５、２２０  投影表示面
２３ｆ、３３ｆ、７３ｆ、９３ｆ  比較判定部
２３ｇ、３３ｇ、７３ｇ、９３ｇ  警報発生部
２５  操作パネル
２５ａ  操作ボタン
３２  朱入指示部
３３ｊ、９３ｊ  コンテンツデータ更新部
３５、４５、７５  エンジンルーム
３５ａ、４５ａ、７５ａ  部品
５３ｈ、７３ｈ、９３ｈ、１１３ｈ、１２３ｈ  識別情報管理部
５８ａ、５８ｂ、６８ａ、６８ｂ、７８ａ、７８ｂ、８８ａ、８８ｂ、９８ａ、９８ｂ、１０８ａ、１０８ｂ、１１８ａ、１１８ｂ、１１３ｋ  識別情報
８５、９５、１０５  回路基板
８５ａ、９５ａ、１０５ａ  電子部品
１１３ｆ、１２３ｆ  日時記録部
１１３ｇ、１２３ｇ  認証処理部
１１３ｊ  記録日時
１１５  壁面
１１６  原図
１２５  本棚
１２５ａ  書籍
２０１  原図記憶部
２０２  描画制御部
２０３  描画面
２０４  点光源
２０４´  撮像焦点
２０５  ハーフミラー
２０６  レンズ
２０７  撮像面
２０８  距離測定部
２０９  マーク検出部
２１１  通信インターフェース
２１３  コンテンツ選択部
２３０  朱入れ記憶部
２３１  朱入れ制御部
２３２  朱入れ指示部
２２０ａ〜２２０ｃ  参照基準点
２２１  原図画像
【図１】
2005327127.tif 000003
【図２】
2005327127.tif 000004
【図３】
2005327127.tif 000005
【図４】
2005327127.tif 000006
【図５】
2005327127.tif 000007
【図６】
2005327127.tif 000008
【図７】
2005327127.tif 000009
【図８】
2005327127.tif 000010
【図９】
2005327127.tif 000011
【図１０】
2005327127.tif 000012
【図１１】
2005327127.tif 000013
【図１２】
2005327127.tif 000014
【図１３】
2005327127.tif 000015
【図１４】
2005327127.tif 000016
【図１５】
2005327127.tif 000017
【図１６】
2005327127.tif 000018
【図１７】
2005327127.tif 000019
【図１８】
2005327127.tif 000020
【図１９】
2005327127.tif 000021
【図２０】
2005327127.tif 000022
【図２１】
2005327127.tif 000023